(57)【要約】      （修正有）【課題】MEMS型双安定ディスプレイを安定的に駆動するコントローラとドライバを提供する。【解決手段】表示システムは表示用のビオデデータに基づいて信号を出力するように構成された１つの駆動回路と複数の双安定素子を有するアレイを含む双安定ディスプレイとを備え、このアレイは駆動回路から受信した信号を用いてビデオデータを表示するように構成されており、この駆動回路はこのアレイを各々が少なくとも１つの双安定表示素子を含む２つ以上のフィールドに区分化し、各フィールドと関連するリフレッシュレートにしたがってこの２つ以上のフィールドの各々をリフレッシュするように構成されている。【選択図】図３Ａ
2006091853.tif 000002
【特許請求の範囲】
【請求項１】
ビデオデータを表示する信号を提供するように構成された少なくとも１つの駆動回路と、
複数の双安定表示素子を有するアレイを含むディスプレイであり、前記アレイが前記駆動回路から受信した信号を用いてビデオデータを表示するように構成されている前記ディスプレイと、
を具備し、
前記アレイは１つ以上のフィールドに区分化され、各々のフィールドは少なくとも１つの双安定表示素子を含み、前記駆動回路は各フィールドと関連するリフレッシュレートにしたがって前記１つ以上のフィールドの各々をリフレッシュするように構成されている表示システム。
【請求項２】
前記双安定表示素子は互いに対して可動であり、干渉キャビティを画定する空間だけ分離している２つの反射層を具備する干渉変調器である請求項１記載の表示システム。
【請求項３】
前記双安定表示素子は選択された光学的状態をリフレッシュすることなく維持するように構成されている請求項１記載の表示システム。
【請求項４】
前記ディスプレイがリフレッシュすることなく、永続的に画像を表示するように構成されている請求項１記載の表示システム。
【請求項５】
前記駆動回路はフレームデータレートに比例するレートで前記フィールドの内の少なくとも１つをリフレッシュするようにさらに構成されている請求項１記載の表示システム。
【請求項６】
前記駆動回路はフレームデータレートに基づいて前記フィールドの内の少なくとも１つをリフレッシュするようにさらに構成されている請求項１記載の表示システム。
【請求項７】
前記フィールドの内の少なくとも１つのフィールドのリフレッシュレートが実質的にゼロである請求項１記載の表示システム。
【請求項８】
前記駆動回路はフレームデータを受信し、前記フレームデータを受信すると１つ以上のフィールドをリフレッシュするようにさらに構成されている請求項１記載の表示システム。
【請求項９】
前記駆動回路は前記アレイを区分化するように構成されている請求項１記載の表示システム。
【請求項１０】
ユーザ選択を受信するように構成された入力デバイスをさらに備え、前記駆動回路はユーザ選択に基づいて前記アレイを区分化するように構成されている請求項１記載の表示システム。
【請求項１１】
前記表示システムと通信しているサーバをさらに備え、前記駆動回路は前記サーバからの命令に基づいて前記アレイを区分化するように構成されている請求項１記載の表示システム。
【請求項１２】
前記複数の双安定表示素子は干渉変調器を具備し、前記１つ以上のフィールドは第１の干渉変調器集合からなる第１のフィールドと第２の干渉変調器集合からなる第２のフィールドとを具備する請求項１記載の表示システム。
【請求項１３】
前記駆動回路は前記表示システムと通信しているサーバからのビデオデータの少なくとも一部分を受信するように構成されている請求項１記載の表示システム。
【請求項１４】
前記駆動回路は前記表示システム上で実行中のプロセスからのビデオデータの少なくとも一部分を受信するように構成されている請求項１記載の表示システム。
【請求項１５】
前記第１の干渉変調器集合は第１のリフレッシュレートでリフレッシュされ、前記第２の干渉変調器集合は第２のリフレッシュレートでリフレッシュされる請求項１記載の表示システム。
【請求項１６】
前記第１の干渉変調器集合の内の少なくとも１つの干渉変調器が前記第２の干渉変調器集合の内の干渉変調器でもある請求項５記載の表示システム。
【請求項１７】
前記第１の干渉変調器集合は多角形形状に配置される請求項５記載の表示システム。
【請求項１８】
前記少なくとも１つの干渉変調器は第１のリフレッシュサイクル中に前記第１の干渉変調器集合でリフレッシュされ、前記少なくとも１つの干渉変調器は第２のリフレッシュサイクル中に前記第２の干渉変調器集合でリフレッシュされる請求項９記載の表示システム。
【請求項１９】
前記第２のリフレッシュレートが前記第１のリフレッシュレートとは異なっている請求項８記載の表示システム。
【請求項２０】
前記第２のリフレッシュレートは前記第１のリフレッシュレートと同じであり、前記第１のフィールドのリフレッシュが前記第２のフィールドのリフレッシュとは異なった時点で開始される請求項８記載の表示システム。
【請求項２１】
前記第１のリフレッシュレートは前記第１のフィールドに表示されるデータのフレームレートに少なくとも部分的に基づいて決定される請求項８記載の表示システム。
【請求項２２】
前記第１のリフレッシュレートはあらかじめ決められている請求項８記載の表示システム。
【請求項２３】
前記第１のリフレッシュレートは経時変化する請求項８記載の表示システム。
【請求項２４】
前記ディスプレイと電気通信しているプロセッサをさらに備え、前記プロセッサは画像データを処理するように構成されている請求項１記載の表示システム。
【請求項２５】
前記ディスプレイに少なくとも１つの信号を送るように構成されているドライバ回路をさらに備える請求項２４記載の表示システム。
【請求項２６】
前記画像データの少なくとも一部分を前記ドライバ回路に送るように構成されているコントローラをさらに備える請求項２５記載の表示システム。
【請求項２７】
前記画像データを前記プロセッサに送るように構成されている画像ソースモジュールをさらに備える請求項２４記載の表示システム。
【請求項２８】
前記画像ソースモジュールはトランシーバを含む請求項２７記載の表示システム。
【請求項２９】
入力データを受信し、前記入力データを前記プロセッサに通信するように構成された入力デバイスをさらに備える請求項２４記載の表示システム。
【請求項３０】
デバイスのディスプレイ上にデータを表示する方法であって、
前記デバイスの双安定ディスプレイを１つ以上のフィールドに区分化し、
ビデオデータを１つ以上のフィールドに表示し、
前記１つ以上のフィールドの各々を前記１つ以上のフィールドの各々と関連するリフレッシュレートにしたがってリフレッシュする、
ことを具備する方法。
【請求項３１】
前記双安定ディスプレイは干渉変調器のアレイからなる請求項３０記載の方法。
【請求項３２】
サーバから前記デバイスのところでビデオデータの少なくとも一部分を受信することをさらに具備する請求項３０記載の方法。
【請求項３３】
１つ以上の更新スキームを用いて１つ以上のフィールドを更新することをさらに具備する請求項３０記載の方法。
【請求項３４】
前記１つ以上の更新スキームの内の少なくとも１つが表示されるデータのフレームレートに基づいたリフレッシュレートを用いることを具備する請求項３０記載の方法。
【請求項３５】
少なくとも前記１つ以上の更新スキームは前記受信したデータと関連するプログラムを用いて選択される請求項３２記載の方法。
【請求項３６】
前記ディスプレイの特徴を示す表示情報を受信し、前記表示情報を用いて更新スキームを選択するステップとをさらに具備する請求項３０記載の方法。
【請求項３７】
通信ネットワークと、
複数の双安定表示素子を有する双安定ディスプレイからなり、前記通信ネットワーク上で表示情報を送信するように構成されているクライアントデバイスと、
前記双安定ディスプレイの１つ以上のフィールドを規定するように構成されているサーバであって、各フィールドが関連のリフレッシュレートを有し、前記サーバは前記表示情報に基づいて前記通信ネットワーク上で前記クライアントデバイスにビオデデータを送信するようにさらに構成されている、前記サーバと、
を具備し、
前記クライアントデバイスは、前記サーバからビデオデータを受信し、前記ビデオデータを前記ディスプレイの１つ以上のフィールドに表示し、前記関連のリフレッシュ情報を用いて各フィールドを更新するように構成されている、
前記クライアントデバイス上の前記ディスプレイをサーバベースで制御する通信システム。
【請求項３８】
前記表示情報は前記ディスプレイの１つ以上の特徴を示す請求項３７記載の通信システム。
【請求項３９】
前記表示情報は表示モードを示す請求項３７記載の通信システム。
【請求項４０】
前記表示情報はビデオデータを前記双安定ディスプレイ上に与えられるべきであることを示す情報からなる請求項３７記載の通信システム。
【請求項４１】
前記サーバは、前記２つ以上のフィールドの各々に表示されるビデオデータを識別するようにさらに構成されている請求項３７記載の通信システム。
【請求項４２】
前記ディスプレイと電気通信しているプロセッサをさらに備え、前記プロセッサは画像データを処理するように構成されている請求項３７記載の通信システム。
【請求項４３】
前記ディスプレイに少なくとも１つの信号を送るように構成されているドライバ回路をさらに備える請求項４２記載の通信システム。
【請求項４４】
前記画像データの少なくとも１部を前記ドライバ回路に送るように構成されているコントローラをさらに備える請求項４３記載の通信システム。
【請求項４５】
前記画像データを前記プロセッサに送るように構成されている画像ソースモジュールをさらに備える請求項４２記載の通信システム。
【請求項４６】
前記画像ソースモジュールはトランシーバを含む請求項４５記載の通信システム。
【請求項４７】
入力データを受信し、前記入力データを前記プロセッサに通信するように構成された入力デバイスをさらに備える請求項４２記載の通信システム。
【請求項４８】
ビデオデータを提供するように構成されているコンテンツサーバと、
前記コンテンツサーバとデータ通信し、各々のフィールドが少なくとも１つの双安定表示素子と関連している１つ以上のフィールドにデータを表示するように構成されている双安定ディスプレイからなるクライアントデバイスと、
を具備し、
前記双安定ディスプレイの各フィールドが各フィールド自体のリフレッシュレートでリフレッシュされることが可能である、
データ表示システム。
【請求項４９】
前記フィールドの少なくとも１つは前記コンテンツサーバによって個別にアドレス指定可能である請求項２９記載のデータ表示システム。
【請求項５０】
前記コンテンツサーバはプロセッサとソフトウエアモジュールとを具備し、前記ソフトウエアモジュールが受信データと関連している請求項２９記載のデータ表示システム。
【請求項５１】
前記クライアントデバイスは、前記ディスプレイの特徴を前記コンテンツサーバに通信するように構成されている請求項２９記載のデータ表示システム。
【請求項５２】
前記１つ以上のフィールドは第１と第２のフィールドを具備し、前記双安定ディスプレイは第１の干渉変調器集合と第２の干渉変調器集合を具備し、前記第１の干渉変調器集合は前記第１のフィールドと関連しており、前記第２の干渉変調器集合は前記第２のフィールドと関連している請求項２９記載のデータ表示システム。
【請求項５３】
前記第１の干渉変調器集合の内の少なくとも１つの干渉変調器が、前記第１の干渉変調器集合と第２の干渉変調器集合に割り当てられる請求項３３記載のデータ表示システム。
【請求項５４】
複数の双安定表示素子を有するアレイからなるディスプレイに対してビデオデータを表示する信号を提供するように構成されている少なくとも１つの駆動回路を接続し、
前記駆動回路から受信した信号を用いてビデオデータを表示し、各々が少なくとも１つの双安定表示素子を含む１つ以上のフィールドに区分化されるように前記アレイを構成し、
各フィールドと関連するリフレッシュレートにしたがって前記１つ以上のフィールドの各々をリフレッシュするように前記駆動回路を構成する
ことを具備する表示システムを製造する方法。
【請求項５５】
前記双安定表示素子は、互いに対して可動であり、干渉キャビティを画定するスペースだけ分離している２つの反射層からなる干渉変調器である請求項５４記載の方法。
【請求項５６】
前記双安定素子は、選択された光学的状態をリフレッシュすることなく維持するように構成されている請求項５４記載の方法。
【請求項５７】
前記駆動回路は、フレームデータレートにだけ基づいて前記フィールドの内の少なくとも１つをリフレッシュするように構成されている請求項５４記載の方法。
【請求項５８】
複数の双安定表示素子を有するアレイからなるディスプレイに対してビデオデータを表示する信号を提供するように構成されている少なくとも１つの駆動回路を接続し、
前記駆動回路から受信した信号を用いてビデオデータを表示し、各々が少なくとも１つの双安定表示素子を含む１つ以上のフィールドに区分化されるように前記アレイを構成し、
各フィールドと関連するリフレッシュレートにしたがって前記１つ以上のフィールドの各々をリフレッシュするように前記駆動回路を構成する、
ことを具備するプロセスによって製造される表示システム。
【請求項５９】
前記双安定表示素子は、互いに対して可動であり、干渉キャビティを画定するスペースだけ分離している２つの反射層からなる干渉変調器である請求項５８記載の表示システム。
【請求項６０】
前記双安定素子は、選択された光学的状態をリフレッシュすることなく維持するように構成されている請求項５８記載の表示システム。
【請求項６１】
前記駆動回路は、フレームデータレートにだけ基づいて前記フィールドの内の少なくとも１つをリフレッシュするように構成されている請求項５８記載の表示システム。
【請求項６２】
画像データ信号を提供する手段と、
複数の双安定表示素子を含むディスプレイアレイを各々が少なくとも１つの双安定表示素子を含む１つ以上のフィールドに区分化する手段と、
前記画像データ信号を用いて画像を表示する手段と、
を具備し、
前記１つ以上のフィールドの各々が各フィールドと関連するリフレッシュレートにしたがってリフレッシュされる表示システム。
【請求項６３】
前記提供手段は、ビデオデータを表示する信号を提供するように構成されている少なくとも１つの駆動回路からなる請求項６２記載の表示システム。
【請求項６４】
前記表示手段は、複数の双安定素子を有するアレイからなる請求項６２記載の表示システム。
【請求項６５】
前記双安定表示素子は、互いに対して可動であり、干渉キャビティを画定するスペースだけ分離している２つの反射層からなる干渉変調器である請求項６２記載の表示システム。
【請求項６６】
前記双安定素子は、選択された光学的状態をリフレッシュすることなく維持するように構成されている請求項６２記載の表示システム。
【請求項６７】
前記提供手段は、フレームデータレートにだけ基づいて前記フィールドの内の少なくとも１つをリフレッシュするように構成されている請求項６２記載の表示システム。
【請求項６８】
前記区分化手段は駆動回路を含む請求項６２記載の表示システム。
【発明の詳細な説明】
【技術分野】
【０００１】
本発明は微小電気機械システム（ＭＥＭＳ）の分野に関する。
【背景技術】
【０００２】
微小電気機械システム（ＭＥＭＳ）は、微小機械素子、アクチュエータ、及び電子機器を含んでいる。微小機械素子は、基板の部分及び／又は堆積された素材の層をエッチオフしたり層を追加したりして電気機器や電気機械機器を形成する堆積プロセス、エッチングプロセス及び／又は他の微細加工プロセスを用いることによって作成される。ＭＥＭＳデバイスの１つのタイプとして、干渉変調器と呼ばれるものがある。干渉変調器は１対の導電性プレートを備えており、この対の一方又は双方が全体的又は部分的に透明であり及び／又は反射性を持ち、適当な電気信号を印加されると相対的に移動することが可能である。一方のプレートは基板上に堆積された静止層を備えており、他方のプレートはこの静止層とエアーギャップで分離された金属製の膜を備えている。この特徴を活用して、既存の製品を改良したり、未だ開発されていない新製品を作成したりするなど、このようなデバイスは広い応用範囲を有しており、このようなタイプのデバイスの特徴を利用及び／又は修正することは本技術分野において恩典がある。
【発明の開示】
【０００３】
［発明の概要］
本発明のシステム、方法及びデバイスはその各々がいくつかの態様を有しており、このうち１つとして望ましい属性に対して単独で貢献することはない。本発明の範囲を制限することなく、そのより顕著な特徴を以下に簡単に説明する。この検討を考察すれば、特に、「発明を実施する為の最良の形態」という題名の章を読めば、本発明の特徴がどのように、他の表示デバイスにない利点を提供するかが理解される。
【０００４】
第１の実施形態は、ビオデデータを表示する信号を提供するように構成されている少なくとも１つの駆動回路を備える表示システムと、複数の双安定素子を有するアレイ(array)を備えるディスプレイとを含むが、このアレイは駆動回路から受信した信号を用いてビデオデータを表示するように構成されており、また、このアレイは１つ以上のフィールドに区分化され、そのフィールドの各々が少なくとも１つの双安定表示素子を含んでおり、駆動回路は前記１つ以上のフィールドを各々のフィールドに関連するリフレッシュレートに従ってリフレッシュするように構成されている。第１の実施形態の第１の態様では、駆動回路はアレイを区分化するように構成されている。第２の態様では、入力デバイスがユーザ選択を受信するように構成されており、駆動回路がこのユーザ選択に基づいてアレイを区分化するように構成されている。第３の態様では、アレイは、表示システムと通信しているサーバによって区分化される。第４の態様では、複数の双安定表示素子が干渉（測定）変調器を備えており、ここで、アレイは１つ異常のフィールドに区分化されるが、これらのフィールドは、第１の集合を成す干渉変調器を含む第１のフィールドと、第２の集合を成す干渉変調器を含む第２のフィールドからなっている。第５の態様では、駆動回路は、表示システムと通信しているサーバからビデオデータの少なくとも１部を受信するように構成されている。第６の態様では、第１の集合を成す干渉変調器は第１のリフレッシュレートでリフレッシュされ、第２の集合を成す干渉変調器は第２のリフレッシュレートでリフレッシュされる。第７の態様では、第１の集合を成す干渉変調器の内の少なくとも１つの干渉変調器はまた、第２の集合を成す干渉変調器の内のある干渉変調器でもある。第８の態様では、第１の集合を成す干渉変調器は多角形の形状に配置されている。第９の態様では、前記少なくとも１つの干渉変調器は第１のリフレッシュサイクル中では第１の集合をなす干渉変調器でリフレッシュされ、前記少なくとも１つの干渉変調器は第２のリフレッシュサイクル中では第２の集合をなす干渉変調器でリフレッシュされる。第１０の態様では、前記第２のリフレッシュレートは、第１のリフレッシュレートとは異なっている。第１１の態様では、前記第２のリフレッシュレートは第１のリフレッシュレート同じであり、前記第１のフィールドのリフレッシュは第２のフィールドのリフレッシュとは異なった時点で開始される。第１２の態様では、第１のリフレッシュレートは、第１のフィールドに表示されるデータのフレームレートに少なくとも部分的に基づいて決定される。第１３の態様では、第１のリフレッシュレートは所定のものである。第１４の態様では、第１のリフレッシュレートは時間と共に変化する。
【０００５】
第２の実施形態は、クライアントのデバイスのディスプレイ上にデータを表示する方法であり、前記方法は、クライアントデバイスの双安定ディスプレイを２つ以上のフィールドに区分化することと、ビデオデータを２つ以上のフィールドに表示することと、この２つ以上のフィールドの各々を２つ以上のフィールドの各々と関連するリフレッシュレートにしたがってリフレッシュすることとを含む。この双安定ディスプレイは、あるアレイを成す干渉変調器を含むことがある。この実施形態はさらに、サーバからビデオデータの少なくとも１部分を受信することを含むことがある。また、本方法は、１つ以上の更新スキームを用いて１つ以上のフィールドを更新することを含むことができる。この１つ以上の更新スキームの内の少なくとも１つは、受信データと関連するプログラムを用いて選択することが可能である。この実施形態では、前記２つ以上のフィールドの内の少なくとも１つをリフレッシュすることは、表示されるデータのフレームレートに基づいたリフレッシュレートを用いることを含むことがある。本方法はまた、ディスプレイの特徴を含んでいる表示情報を受信することと、前記表示情報を用いて更新スキームを選択することをさらに含むことがある。
【０００６】
第３の実施形態はクライアントデバイス上のディスプレイをサーバベースで制御する通信システムであり、前記システムは、通信ネットワークと、複数の双安定表示素子を有する双安定ディスプレイを含むクライアントデバイスであり、前記クライアントデバイスは、双安定ディスプレイの表示情報、たとえば、１つ以上の特徴を通信ネットワーク上で送信するように構成されている前記クライアントデバイスと、双安定ディスプレイの１つ以上のフィールドを定義するように構成されているサーバであり、各々のフィールドが関連するリフレッシュレートを有しており、前記サーバが表示情報に基づいて通信ネットワーク上でクライアントデバイスに対してビデオデータを送信するようにさらに構成されている、前記サーバとを備え、前記クライアントデバイスが、ビオデデータをサーバから受信し、ビデオデータをディスプレイの１つ以上のフィールド上に表示し、また、関連するリフレッシュ情報を用いて各々のフィールドをリフレッシュするようにさらに構成されている。１つの態様では、表示情報は、表示モードを含んでいる。第２の態様では、表示情報は、ビデオデータを双安定ディスプレイ上のどこにレンダリングすべきであるか示す。第３の態様では、サーバは、２つ以上のフィールドの各々で表示される予定のビデオデータを識別するようにさらに構成されている。
【０００７】
第４の実施形態はデータ表示システムであり、本システムは、コンテンツサーバと、このコンテンツサーバとデータ通信しているクライアントデバイスとを備え、前記クライアントデバイスは、１つ以上のフィールドにデータを表示するように構成されている双安定ディスプレイを備え、この双安定ディスプレイの各々のフィールドは自身のリフレッシュレートでリフレッシュ可能である。１つの態様では、データ表示システムはコンテンツサーバで個別にアドレス指定可能な１つ以上のフィールドを有することが可能である。第２の態様では、コンテンツサーバはプロセッサとソフトウエアモジュールを含むことが可能であり、このソフトウエアモジュールは受信データを関連している。第３の態様では、クライアントデバイスは、ディスプレイの特徴をコンテンツサーバに通信するように構成することが可能である。第４の態様では、前記１つ以上のフィールドは第１のフィールドと第２のフィールドを含むことが可能であり、双安定ディスプレイは、第１のフィールドと関連している第１の集合を成す干渉変調器と、第２のフィールドと関連している第２の集合を成す干渉変調器とを備えている。第５の態様では、前記の表示システムは、第１の複数の干渉変調器と第２の集合を成す干渉変調器とに割り当てられた第１の集合を成す干渉変調器から取られた少なくとも１つの干渉変調器を有することが可能である。第６の態様では、第１のフィールドは第１のリフレッシュレートを更新するように構成可能であり、第２のフィールドは第２のリフレッシュレートを更新するように構成される。第７の態様では、サーバは、クライアントデバイスの双安定ディスプレイの１つ以上のフィールドに表示されるビデオデータを供給するようにさらに構成される。
【０００８】
第５の実施形態は、画像データ信号を提供する手段を備える表示システムである。この表示システムは、複数の双安定表示素子を含むディスプレイアレイを１つ以上のフィールドに区分化する手段をさらに備えるが、このフィールドは各々が少なくとも１つの双安定表示素子を含んでいる。本表示システムは、画像データ信号を用いて画像を表示する手段をさらに備え、この１つ以上のフィールドは各々が各フィールドと関連するリフレッシュレートにしたがってリフレッシュされる。
【発明を実施するための最良の形態】
【０００９】
以下の詳細な説明は、ある特定の実施形態に関するものである。しかしながら、本発明は、互いに異なった多くの方法で実施することが可能である。本明細書における「一実施形態」とか「ある実施形態」とかに対する言及は、その実施形態と関連して説明されるある特定の特徴、構造体又は特徴が少なくとも一実施形態中に含まれることを意味する。本明細書中のあちこちで「一実施形態では」、「一実施形態によれば」又は「一部の実施形態では」という句が見受けられるが、これは必ずしも全てが、同じ実施形態のことを言っているのではなく、また、他の実施形態とは互いに排他的な別個の実施形態や代替の実施形態のことを言っているわけではない。そのうえ、一部の実施形態で示されるが他の実施形態では示されないようなさまざまな特徴を説明する。同様に、一部の実施形態では必要であるが他の実施形態ではそうではないようなさまざまな要件を説明する。
【００１０】
一実施形態では、あるデバイス上のディスプレイアレイは、少なくとも１つの駆動回路とアレイを成す手段、たとえば、ビデオデータが表示される干渉変調器のアレイとを含む。ここで用いられるビデオデータという言葉は、ピクチャ、グラフィックス及びワードを含むなんらかの種類の表示可能データ、すなわち、静止画像又は動画像中で表示可能なもの（たとえば、動作の様子が見えるもの、たとえば、株価情報、「ビデオクリップ」又は動作事象の発声を示すデータが常に連続して変化して見えるような一連のビデオフレーム）のことである。ここで用いられるビデオデータとはまた、フレームレートやデータフォーマットなどのビデオデータをどのように処理すべきであるか（表示モード）についての命令を含むなんらかの種類の制御データのことである。前記のアレイはビデオデータを表示する駆動回路によって駆動される。
【００１１】
一実施形態では、干渉（測定）ディスプレイは２つ以上のフィールドに区分化される。ビデオデータを識別してこの２つ以上のフィールドの内の１つに表示することが可能であり、また、このビデオデータはこれらフィールドの各々に表示することが可能である。各々のパーティションをそれ自身のリフレッシュレートでリフレッシュすると、その結果、頻繁に更新する必要のない表示で電力の節約となる。一実施形態では、区分化可能なディスプレイは干渉変調器アレイとこのアレイを駆動するように構成された駆動回路とを含むが、この駆動回路は干渉変調器のアレイを２つ以上のフィールドに区分化し、この２つ以上のフィールドの内の１つに表示されるべきデータを識別し、この識別されたデータを区分化されたアレイの対応するフィールドに表示するように、また、このアレイの各々のフィールドを他のフィールドのリフレッシュレートと同じ又は異なってもよいリフレッシュレートで更新するように構成されている。別の実施形態では、データを表示する方法は、ビデオデータを受信することと、２つ以上のフィールドに表示されるべきビデオデータを識別することと、この識別されたデータを区分化されたアレイの対応するフィールドに表示することと、ディスプレイの各々のパーティションを表示されたビデオデータのコンテンツで決まるリフレッシュレートで更新することとを含む。
【００１２】
本明細書では、全般にわたって同様の部品が同様の数字で示される図面を参照する。本発明は、動いているか（例えば、ビデオ）静止しているか（例えば、静止画像）を問わず、また、テキストであるかピクチャであるかを問わず、画像を表示するように構成されているいかなるデバイスでも実施される。より詳しくは、本発明は、これに限られないが、モバイル電話、無線デバイス、携帯情報端末（ＰＤＡ）、手持ち式もしくは携帯式コンピュータ、ＧＰＳ受信機／ナビゲータ、カメラ、ＭＰ３プレーヤ、カムコーダー、ゲーム機、腕時計、置時計、電卓、テレビモニター、フラットパネルディスプレイ、コンピュータモニター、自動式ディスプレイ（例えば、積算計ディスプレイなど）、コックピット制御機器及び／又はディスプレイ、カメラビューのディスプレイ（例えば、車両中でのリアビューカメラのディスプレイ）、電子写真、電子看板もしくは標識、プロジェクタ、建築構造体、包装並びにエステティック構造体（例えば、宝石に対する画像の表示）などのさまざまな電子デバイスとして又はこれに関連して実現されることが予測される。ここに記載するような構造と類似の構造を持つＭＥＭＳもまた、電子切換えデバイスなどの非表示型応用分野に用いることが可能である。
【００１３】
撮像という応用分野で用いられる空間光変調器にはさまざまな形態がある。液晶ディスプレイ（ＬＣＤ）変調器は、結晶質のねじれ及び／又は整合性を制御して光を遮断したり通過させたりすることによって光を変調する。反射式空間光変調器は、さまざまな物理的効果を利用して、撮像表面に向けて反射される光の量を制御する。このような反射式変調器の例には、反射式ＬＣＤやディジタル微小ミラーデバイスがある。
【００１４】
空間光変調器の別の例として、干渉によって光を変調する干渉変調器がある。干渉変調器は、少なくとも１つの可動又は偏向可能な壁を有する共振光空洞を用いる双安定表示素子である。この光空洞中での建設的干渉によって、空洞から発する可視光の色が決まる。一般に少なくとも部分的には金属製であるこの可動壁が空洞の静止前部表面に向けて移動するに連れて、空洞内部における光の干渉が変調され、この変調が変調器の前部表面から発する光の色に影響する。この前部表面は一般に、この干渉変調器が直視型デバイスである場合には、観察者が見る像が現れる表面である。
【００１５】
図１に、一実施形態によるネットワーク化されたシステムを示す。Ｗｅｂサーバなどのサーバ２がネットワーク３に対して動作可能にカップリングされている。サーバ２は、Ｗｅｂサーバや、携帯電話サーバや、無線ｅメールサーバ等に対応することが可能である。ネットワーク３には、有線ネットワークや、ＷｉＦｉネットワーク、携帯電話ネットワーク、ブルートウースネットワークなどの無線ネットワーク等があり得る。
【００１６】
ネットワーク３は、さまざまなデバイスに動作可能にカップリングすることが可能である。ネットワーク３にカップリングすることが可能なデバイスの例には、ラップトップ型コンピュータ４などのコンピュータや、ＢｌａｃｋＢｅｒｒｙ、Ｐａｌｍ  Ｐｉｌｏｔ、Ｐｏｃｋｅｔ  ＰＣ及び類似物などの無線手持ち式デバイスを含む携帯情報端末（ＰＤＡ）５や、Ｗｅｂイネーブル式携帯電話、スマートフォン及び類似物などの携帯電話６がある。他にも多くのデバイスが使用可能であるが、それにはデスクトップ型ＰＣ、セットトップボックス、ディジタルメディアプレーヤ、手持ち式ＰＣ、衛星利用測位システム（ＧＰＳ）ナビゲーションデバイス、自動車用ディスプレイ又は他の静止もしくはモバイルディスプレイがある。説明しやすいように、これらのデバイスの全てをここでは集合的にクライアントサーバ７と呼ぶ。
【００１７】
干渉ＭＥＭＳ表示素子を含む１つの双安定表示素子実施形態を図２に示す。このようなデバイスでは、画素はブライト状態かダーク状態かにある。表示素子は、ブライト（「オン」又は「開」）状態にある場合、入射可視光の大部分をユーザに向けて反射する。ダーク（「オフ」又は「閉」）状態にある場合は、表示素子はユーザに向けて入射可視光をほとんど反射しない。実施形態によっては、「オン」状態と「オフ」状態の光反射特性は逆転する。ＭＥＭＳ画素は、選ばれた色で大部分が反射し、これによって、白黒だけではなくカラー表示も可能とするように構成することが可能である。
【００１８】
図２は、画素の各々がＭＥＭＳ干渉変調器を含んでいる画像ディスプレイアレイの一連の画素のうちの隣り合った２つの画素を示す等尺図である。一部の実施形態では、干渉変調器ディスプレイアレイは、このような干渉変調器から成る行／列アレイを含んでいる。各々の干渉変調器は、少なくとも１つの可変ディメンジョンで共振光空洞を形成するように互いに可変のそして制御可能な距離だけ隔たった位置に置かれた１対の反射層を含んでいる。一実施形態では、これら反射層の内の一方を２つの位置の間で移動させる。ここでは開放状態と呼ばれる第１の位置では、この可動層は部分的に反射性の固定層から比較的大きく離れた位置にある。第２の位置では、可動層は部分的反射性層により近接して置かれている。この２つの層から反射された入射光は、可動反射層の位置しだいで建設的又は破壊的に干渉し、これで、各々の画素が全体的に反射状態又は非反射状態になる。
【００１９】
図２に示す画素アレイの部分に、隣り合った２つの干渉変調器１２ａと１２ｂが存在する。左側の干渉変調器１２ａ中に、可動性で高度に反射性の層１４ａが、部分的反射性の固定層１６ａから所定の距離だけ隔たった開放位置にあところが図示されている。右側の干渉変調器１２ｂには、可動性の高度に反射性の層１４ｂが、部分的反射性の固定層１６ｂに隣接した起動位置にあるところが図示されている。
【００２０】
部分的反射性層１６ａと１６ｂは導電性があり、部分的に透明で、固定されており、たとえば、各々がクロームとインジウム・錫酸化物とから成る１つ以上の層を透明な基板２０上に堆積することによって製造される。これらの層はパターニングして平行な片にして、以下にさらに説明するように表示デバイス中で行電極を形成するようにする。高度に反射性の層１４ａと１４ｂは、サポート１８の頂部に堆積された（行電極すなわち部分的反射性層１６ａと１６ｂに直交する）１つ又は複数の堆積金属層と、サポート１８間に堆積された介在する犠牲材料とから成る一連の平行片として形成される。この犠牲材料がエッチングされると、変形可能な金属層が固定金属層から規定されたエアーギャップ１９だけ分離される。アルミニウムなどの高度に導電性でまた反射性の材料をこの変形可能層に用いて、これらの片が表示デバイス中の列電極を形成するようにする。
【００２１】
電圧が印加されなければ、図２の干渉変調器１２ａに示すように、エアーギャップ１９は層１４ａと１６ａ間に留まり、変形可能層は機械的弛緩状態にある。しかしながら、選択された行と列の間に電位差が印加されると、対応する画素のところにある行電極と列電極の交点に形成されたキャパシタが充電され、静電気力によってこれら電極を一緒に引く。電圧が十分高ければ、図２の右側の干渉変調器１２ｂに示すように、可動層は変形して固定層に押し付けられる（この図には示されていない誘電性材料が固定層に堆積されて、ショートするのを防止し、また、分離距離を制御する）。印加される電位の電極とは無関係に同じ動作が発生する。このようにして、反射性干渉変調器状態対非反射製干渉変調器状態を制御することが可能な行／列起動動作は、従来型のＬＣＤや他のディスプレイの技術で用いられるそれと多くの点で類似している。
【００２２】
図３から５に、ディスプレイという応用分野で干渉変調器のアレイを用いる例示のプロセスとシステムを示す。しかしながら、このプロセスとシステムはまた、他のディスプレイ、例えば、プラズマ、ＥＬ、ＯＬＥＤ、ＳＴＮＬＣＤ及びＴＦＴＬＣＤにも応用可能である。
【００２３】
現時点では、市販されているフラットパネルディスプレイコントローラとドライバは、常時リフレッシュする必要があるディスプレイとはほとんど排他的に作動するように設計されている。したがって、たとえばプラズマ、ＥＬ、ＯＬＥＤ、ＳＴＮＬＣＤ及びＴＦＴＬＣＤのパネル上に表示された画像は、毎秒頻繁にリフレッシュしないと瞬時に消滅する。しかしながら、上記のタイプの干渉変調器は、リフレッシュ無しでより長期にわたって自身の状態を保持する能力があるが、この場合、干渉変調器はリフレッシュなしで２つの状態の内のどちらかの状態に維持され、干渉変調器を用いるディスプレイは双安定ディスプレイと呼ばれる。一実施形態では、画素素子の状態は、時としてラッチ電圧と呼ばれるバイアス電圧を画素素子を含む１つ以上の干渉変調器に印加することによって維持される。
【００２４】
一般に、表示デバイスは、表示ディスプレイ自体を適切に制御するためには１つ以上のコントローラとドライバ回路とを必要とする。たとえばＬＣＤを駆動するために用いられるようなドライバ回路は、表示パネル自体のエッジに直接接続し、また、それに沿って位置付けされる。代替例では、ドライバ回路は、表示パネルを（そのエッジのところで）電子システムの残りの部分に接続しているフレキシブルな回路素子に取り付けられる。いずれの場合も、ドライバは一般的に、表示パネルと電子システム間の境界のところに置かれる。
【００２５】
図３Ａは、さまざまな態様を具体化することが可能な電子デバイスの一部の実施形態を示すシステムブロック図である。例示の実施形態では、電子デバイスは、ＡＲＭ、Ｐｅｎｔｉｕｍ（登録商標）、Ｐｅｎｔｉｕｍ  II（登録商標）、Ｐｅｎｔｉｕｍ  III（登録商標）、Ｐｅｎｔｉｕｍ  IV（登録商標）、Ｐｅｎｔｉｕｍ（登録商標）、Ｐｒｏ、８０５１、ＭＩＰＳ（登録商標）、Ｐｏｗｅｒ  ＰＣ（登録商標）、ＡＬＰＨＡ（登録商標）などのいずれかの汎用の単一チップもしくは複数チップマイクロプロセッサ又はディジタル信号プロセッサ、マイクロコントローラもしくはプログラム可能ゲートアレイなどのいずれかの特殊目的マイクロプロセッサであるプロセッサ２１を含む。当技術分野では形式的であるが、プロセッサ２１は１つ以上のソフトウエアモジュールを実行するように構成されている。オペレーティングシステムを実行することに加えて、プロセッサは、Ｗｅｂブラウザ、電話アプリケーション、ｅメールプログラム又は他のあらゆるソフトウエアアプリケーションを含む１つ以上のソフトウエアアプリケーションを実行するように構成されている。
【００２６】
図３Ａに、プロセッサ２１に接続されたネットワークインタフェース２７を含む電子デバイスの実施形態を図示するが、一部の実施形態によれば、このネットワークインタフェースはアレイドライバ２２に接続することが可能である。ネットワークインタフェース２７は適切なハードウエアとソフトウエアを含み、これで、デバイスが、ネットワーク上で別のデバイス、例えば、図１に示すサーバ２と相互作用できるようにする。プロセッサ２１は、アレイドライバ２２に接続されているドライバコントローラ２９と、フレームバッファ２８とに接続されている。一部の実施形態では、プロセッサ２１はアレイドライバ２２にも接続されている。アレイドライバ２２は、ディスプレイアレイ３０に接続され、これを駆動している。図３Ａに示す部品は、干渉変調器ディスプレイの構成を示している。しかしながら、この構成はまた、ＬＣＤコントローラとドライバを持つＬＣＤでも用いることが可能である。図３Ａに示すように、ドライバコントローラ２９は並列バス３６を介してプロセッサ２１に接続されている。ＬＣＤコントローラなどのドライバコントローラ２９は、スタンドアローン集積回路（ＩＣ）としてシステムプロセッサ２１としばしば関連するが、このようなコントローラは多くの仕方で実現される。このようなコントローラはハードウエアとしてプロセッサ２１中に埋め込まれたり、ソフトウエアとしてプロセッサ２１中に埋め込まれたり、又は、アレイドライバ２２と一緒にハードウエアに完全に組み込まれたりする。一実施形態では、ドライバコントローラ２９はプロセッサ２１が生成した表示情報を取り上げ、この情報をディスプレイアレイ３０に対する高速送信用に適切に再フォーマットし、このフォーマットされた情報をアレイドライバ２２に送出する。
【００２７】
アレイドライバ２２はこのフォーマットされた情報をドライバコントローラ２９から受信し、ビデオデータを一連の波形に再フォーマットするが、これは、ディスプレイのｘ−ｙ画素マトリックスから来るリードの毎秒に数回から数百回、時として数千回も印加される。上述したような現在市販されているフラットパネルディスプレイコントローラとドライバは、常にリフレッシュを必要とするディスプレイとはほとんど排他的に作動するように設計されている。双安定ディスプレイ（たとえば干渉変調器のアレイ）はこのような常時のリフレッシュを必要としないため、必要電力を減少させるという特徴が、双安定ディスプレイを用いることによって実現される。しかしながら、双安定ディスプレイを現行のディスプレイで用いられるコントローラとドライバとによって動作させると、双安定ディスプレイの長所が最適化されないことになる。したがって、双安定ディスプレイで用いられる改良されたコントローラ及びドライバのシステムと方法とが望まれる。上述したような干渉変調器のような高速双安定ディスプレイの場合、このような改良されたコントローラやドライバは、低リフレッショレートモード、ビデオレートリフレッシュモード及び固有モードを実施して、双安定変調器の固有の能力を発揮しやすいようにするのが望ましい。ここに記載する方法とシステムによれば、双安定ディスプレイは要求電力を軽減するようにさまざまな仕方で構成される。
【００２８】
図３Ａに示す一実施形態では、アレイドライバ２２は、ドライバコントローラ２９を迂回して、ビデオデータをプロセッサ２１からデータリンク３１を介して受信する。データリンク３１はシリアルペリフェラルインタフェース（「ＳＰＩ」）、Ｉ２Ｃバス、パラレルバス又は他の何らかの市販のインタフェースを備えている。図３Ａに示す一実施形態では、プロセッサ２１は命令をアレイドライバ２２に提供し、これでドライバ２２は、ディスプレイアレイ３０（例えば、干渉変調器ディスプレイ）の要求電力を最適化することを許容される。一実施形態では、例えば、サーバ２で規定されるようなこのディスプレイの１部分用のビデオデータは、データパケットヘッダー情報によって識別されて、データリンク３１を介して送信される。加えて、プロセッサ２１は、グラフィカルプリミティブなどのプリミティブを、データリンク３１を通じてアレイドライバ２２までルーティングすることが可能である。このようなグラフィカルプリミティブは、形状とテキストを描くプリミティブなどの命令に対応することが可能である。
【００２９】
さらに図３Ａを参照すると、一実施形態では、ビデオデータがネットワークインタフェース２７からアレイドライバ２２までデータリンク３３を介して提供される。一実施形態では、ネットワークインタフェース２７は、サーバ２から送信された制御情報を分析して、入力ビデオをプロセッサ２１にルーティングすべきか、その代わりにアレイドライバ２２にルーティングすべきか決定する。
【００３０】
一実施形態では、データリンク３３によって提供されたビデオデータは、多くの実施形態の場合で通常そうであるように、フレームバッファ２８にストアされることはない。また、一部の実施形態では、第２の制御ドライバコントローラ（図示せず）を用いて、アレイドライバ２２用にビデオデータを与えることも可能であることが理解される。データリンク３３はＳＰＩ、Ｉ２Ｃバス又は他のいずれかの市販のインタフェースを含んでいる。アレイドライバ２２もまた、ディスプレイ等のアドレスをデコーディングする行ドライバと列ドライバを含むことがある。ネットワークインタフェース２７はまた、ネットワークインタフェース２７に提供されたビデオデータ内に埋め込まれた命令に少なくとも部分的に応答して、ビデオデータを直接にアレイドライバ２２に対して提供することがある。アービタロジック(arbiter logic)を用いてネットワークインタフェース２７とプロセッサ２１によるアクセスを制御して、アレイドライバ２２のところでのデータ衝突を防止することが可能であるということが熟練者によって理解される。一実施形態では、ドライバは、プロセッサ２１上で実行中では、垂直方向ブランキング遅延及び／又は水平方向ブランキング遅延用に従来は使用されてきた時間間隔などのプロセッサ２１は一般的に用いない時間間隔でのデータ転送を許容することによって、ネットワークインタフェース２７からアレイドライバ２２へのデータ転送のタイミングを制御する。
【００３１】
この設計によって、サーバ２がプロセッサ２１とドライバコントローラ２９を迂回し、また、ディスプレイアレイ３０のある部分を直接にアドレス指定することが可能となれば長所となる。例えば、図示の実施形態では、これによって、サーバ２は、ディスプレイアレイ３０の所定のディスプレイアレイエリアを直接にアドレス指定することが可能である。一実施形態では、ネットワーク２７とアレイドライバ２２間で通信されるデータの量は比較的低く、集積回路間（Ｉ２Ｃ）バスやシリアルペリフェラルインタフェース（ＳＰＩ）バスなどのシリアルバスを用いて通信される。また、しかしながら、他のタイプのディスプレイを利用する場合、他の回路が一般的に用いられるものと理解される。データリンク３３を介して提供されたビデオデータは、フレームバッファ２８無しで、しかも、プロセッサ２１からの干渉はまったくもしくはほとんど無しで表示することが可能であれば長所となる。
【００３２】
図３Ａはまた、干渉変調器コントローラなどのドライバコントロローラ２９にカップリングされたプロセッサ２１の構成を示している。ドライバコントローラ２９は、ディスプレイアレイ３０に接続されているアレイドライバ２２にカップリングされている。この実施形態では、ドライバコントローラ２９は、ディスプレイアレイ３０の最適化を実施し、アレイドライバ２２とプロセッサ２１間で別個の接続を必要とすることなく、アレイドライバ２２に情報を提供する。一部の実施形態では、プロセッサ２１は、１つ以上のフレームのビデオデータを一時的にストアするためのフレームバッファ２８を含むことがあるドライバコントローラ２９と通信するように構成することが可能である。
【００３３】
図３Ａに示すように、一実施形態では、アレイドライバ２２は、画素ディスプレイアレイ３０に信号を提供する行ドライバ回路２４と列ドライバ回路２６とを含む。図２に示すアレイの断面図は図３Ａでは線１−１で示されている。ＭＥＭＳ干渉変調器の場合、行／列起動プロトコルは、図４Ａに示すこれらのデバイスのヒステリシス特性を利用している。可動層を解放状態から起動状態に変形するには、たとえば、１０ボルトの電位差を必要とする。しかしながら、電圧をその値から軽減すると、可動層は、その電圧が１０ボルト未満まで低下するまでその状態を維持する。図４Ａの例示の実施形態では、可動層は、電圧が２ボルト未満まで低下するまで完全には開放状態にならない。したがって、デバイスが開放状態や起動状態で安定している印加電圧の窓の電圧範囲として、図４Ａに示す例では約３から７ボルトという電圧範囲がある。これは、ここでは、「ヒステリシスの窓」又は「安定性の窓」と呼ばれる。
【００３４】
図４Ａに示すヒステリシス特徴を有するディスプレイアレイの場合、行／列起動プロトコルを、行ストロービング中に、起動されることになっているストロービング済みの行中の画素が約１０ボルトという電圧差を印加され、開放されることになっている画素はゼロに近い電圧差を印加されるように設計することが可能である。ストローブの後では、画素は約５ボルトという定常状態電圧差を印加され、これで、行ストローブによってもたらされるどのような状態にでも留まるようにされる。書き込まれた後、各々の画素の電位差はこの例では３から７ボルトという「安定性の窓」内にある。この特徴によって、図２に示す画素設計が、起動状態であれ開放状態であれ同じ印加電圧状況下では安定したものとなる。干渉変調器の各々の画素は、起動状態であれ開放状態であれ、本質的には固定反射層と移動反射層によって形成されるキャパシタであるため、この安定状態は、ほとんど電力消費を伴わないヒステリシスの窓以内の電圧に保つことが可能である。本質的には、印加電位が固定していれば、画素中に流れ込む電流はない。
【００３５】
一般的な応用分野では、表示フレームは、第１の行中の起動された画素の所望の集合にしたがって列電極の集合をアサートすることによって作成される。次に、行パルスを行１の電極に印加して、アサートされた列のラインに対応する画素を起動する。次に、このアサートされた列電極の集合を、第２の行中の起動された画素の所望の集合に対応するように変更される。次に、パルスを行２の電極に印加して、アサートされた列電極にしたがって行２中の適切な画素を起動する。行１の画素はこの行２のパルスによっては影響されず、行１のパルスの間に設定された状態に留まる。このことは、全てのシリーズを成す行に対して連続的に繰り返されて、フレームを生成する。一般的に、フレームは、このプロセスを連続的に毎秒所望の数のフレームだけ連続的に繰り返すことによって、新しいビデオデータでリフレッシュ及び／又は更新される。画素アレイの行電極と列電極を駆動してディスプレイアレイフレームを生成するさまざまなプロトコルがまた公知であり、用いられている。
【００３６】
クライアントデバイス７の一実施形態を図３Ｂに示す。この例示のクライアント４０は、ハウジング４１と、ディスプレイ４２と、アンテナ４３と、スピーカ４４と、入力デバイス４８と、マイクロフォン４６を含む。ハウジング４１は一般的に、射出成形や真空成形を含む当業者には公知であるようなさまざまな製造プロセスの内のどれかによって形成される。加えて、ハウジング４１は、これに限られないが、プラスチック、金属、ガラス、ゴム及びセラミック又はこれらの組み合わせを含むさまざまな材料の内のどれかから作られる。一実施形態では、ハウジング４１は、色の異なった又はロゴや、ピクチャや、記号が異なった他の可動部分と互換性のある取り外し可能部分（図示せず）を含む。
【００３７】
例示のクライアント４０のディスプレイ４２は、たとえば図２、図３Ａ及び図４から６を参照してここに説明する、双安定ディスプレイを含むさまざまなディスプレイの内のどれかである。他の実施形態では、ディスプレイ４２は、当業者には公知である上述したプラズマ、ＥＬ、ＯＬＥＤ、ＳＴＮＬＣＤもしくはＴＦＴＬＣＤ又はＣＲＴや他のブラウン管デバイスなどの非フラットパネルディスプレイである。しかしながら、本発明を説明する目的上、ディスプレイ４２は、ここで述べるように干渉変調器ディスプレイを含む。
【００３８】
例示のクライアント４０の一実施形態のコンポーネントを図３Ｃに模式的に示す。図示の例示クライアント４０は、ハウジング４１を含んでおり、さらに少なくとも部分的に密封される追加のコンポーネントを含むことがある。例えば、一実施形態では、例示クライアント４０は、トランシーバ４７にカップリングされたアンテナ４３を含むネットワークインタフェース２７を含む。トランシーバ４７は、調整用ハードウエア５２に接続されているプロセッサ２１に接続されている。この調整用ハードウエア５２はスピーカ４４とマイクロフォン４６に接続される。プロセッサ２１はまた、入力デバイス４８とドライバコントローラ２９に接続されている。ドライバコントローラ２９はフレームバッファ２８とアレイドライバ２２に接続されているが、後者はディスプレイアレイ３０にカップリングされている。電源５０は、特定の例示クライアント４０の設計上必要とされる限り、全てのコンポーネントに電力を提供する。
【００３９】
ネットワークインタフェース２７はアンテナ４３とトランシーバ４７を含み、これで、例示クライアント４０がネットワーク３を介して別のデバイス、たとえば、図１に示すサーバ２と通信することが可能となるようにしている。一実施形態では、ネットワークインタフェース２７はまた、プロセッサ２１の要求を軽減する処理機能を有する。アンテナ４３は、信号を送受信するものであれば当業者に周知などのアンテナでもよい。一実施形態では、このアンテナは、ＩＥＥＥ８０２．１１（ａ）、（ｂ）又は（ｇ）を含むＩＥＥＥ８０２．１基準にしたがってＲＦ信号を送受信する。別の実施形態では、このアンテナはブルートウース（ＢＬＵＥＴＯＯＴＨ）基準にしたがってＲＦ信号を送受信する。携帯電話の場合、このアンテナは、無線携帯電話ネットワーク内で通信するために用いられるＣＤＭＡ、ＧＳＭ、ＡＭＰＳ又は他の周知の信号を受信するように設計されている。トランシーバ４７は、アンテナ４３から受信した信号を前処理し、これで、この信号がプロセッサ２１によって受信され、さらに処理されるようにする。トランシーバ４７はまた、プロセッサ２１から受信した信号を処理し、これで、この信号がアンテナ４３を介して例示クライアント４０から送信されるようにする。
【００４０】
以下に詳述するように、プロセッサ２１は一般的に、例示のクライアント４０の全体的な動作を制御するが、もっとも、動作制御はサーバ２（図示せず）と共有したりこれに与えられたりするものである。一実施形態では、プロセッサ２１は、例示クライアント４０の動作を制御するために、マイクロコントローラ、ＣＰＵ又はロジックユニットを含む。調整用ハードウエア５２は一般的に、信号をスピーカ４４に送信するため及び、マイクロフォン４６から信号を受信するための増幅器とフィルタとを含む。調整用ハードウエア５２は、例示クライアント４０内のディスクリートコンポーネントであったり、プロセッサ２１又は他のコンポーネント内に組み込まれたりする。
【００４１】
入力デバイス４８によって、ユーザは例示クライアント４０の動作を制御することが可能となる。一実施形態では、入力デバイス４８は、ＱＷＥＲＴＹキーボードや電話キーパッドなどのキーパッド、ボタン、スイッチ、タッチセンシティブ画面、及び感圧もしくは感熱膜を含む。一実施形態では、マイクロフォンは例示クライアント４０の入力デバイスである。マイクロフォンを用いてデータをデバイスに入力すると、音声コマンドがユーザによって与えられて、例示クライアント４０の動作を制御するようにする。
【００４２】
一実施形態では、ドライバコントローラ２９、アレイドライバ２２及びディスプレイアレイ３０は、ここに述べられたディスプレイのタイプにも適している。例えば、一実施形態では、ドライバコントローラ２９は従来型のディスプレイコントローラ又は双安定ディスプレイコントローラ（例えば、干渉変調器コントローラ）である。別の実施形態では、アレイドライバ２２は従来型のドライバ又は双安定ディスプレイドライバ（例えば、干渉変調器ディスプレイ）である。さらに別の実施形態では、ディスプレイアレイ３０は一般的なディスプレイアレイ又は双安定ディスプレイアレイ（例えば、干渉変調器のアレイを含むディスプレイ）である。
【００４３】
電源５０は、技術上公知のさまざまなエネルギ蓄積デバイスの内のいずれかである。例えば、一実施形態では、電源５０はニッケル・カドミウムバッテリやリチウム・イオンバッテリなどの充電式バッテリである。別の実施形態では、電源５０は、プラスチック太陽電池や、太陽電池塗料を含む再生可能なエネルギ源、キャパシタ又は太陽電池である。別の実施形態では、電源５０はコンセントから電力を受け取るように構成されている。
【００４４】
一実施形態では、アレイドライバ２２は、入力ビデオストリームがインターレースフォーマットで与えられており、したがって、このビデオストリームをプログレッシブ走査フォーマットに変換することなくインターレースフォーマットで双安定ディスプレイ上で表示すべきであることを示す所定の値に設定されるレジスタを含む。このようにして、双安定ディスプレイは、インターレースビデオデータをインターレースからプログレッシブ走査に変換する必要がない。
【００４５】
一部の実施例では、上述したように、制御のプログラミング可能性は、電子ディスプレイシステム中のいくつかの場所に置くことが可能なディスプレイコントローラ中に備わっている。ある場合では、制御プログラミング可能性は、電子ディスプレイシステムとディスプレイコンポーネント自体との間の境界に位置しているアレイドライバ２２中に備わっている。当業者は、上記の最適化はハードウエアコンポーネント及び／又はソフトウエアコンポーネント並びにさまざまな構成がいくつあっても実施されることが認識されるであろう。
【００４６】
一実施形態では、ほとんどのグラフィックスコントローラの出力信号の集合には、アドレス指定されているディスプレイアレイ３０の水平方向のアクティブエリアを描く信号が含まれるという事実を利用して、回路はアレイドライバ２２中に埋め込まれている。この水平方向のアクティブエリアは、ドライバコントローラ２９中でレジスタを設定することによって変更可能である。このようなレジスタの設定はプロセッサ２１によって変更可能である。この信号は通常は、表示イネーブル（ＤＥ）として示される。加えて、ほとんど全てのディスプレイビデオインタフェースはラインパルス（ＬＰ）又は水平方向同期（ＨＳＹＮＣ）信号を利用しているが、これはデータラインの終了を示すものである。ＬＰをカウントする回路によって、現行の行の垂直方向位置を判定することが可能である。プロセッサ２１からのＤＥ（水平方向領域に対する信号通知）に基づいて、また、ＬＰカウンタ回路（垂直方向領域に対する信号通知）に基づいてリフレッシュ信号を調整すると、更新機能を実施することが可能である。
【００４７】
一実施形態では、ドライバコントローラ２９はアレイドライバ２２と統合される。このような実施形態は、携帯電話や、腕時計や、他の小面積ディスプレイなどの高度に集積されたシステムでは共通である。このような統合されたアレイドライバ２２内の特殊化された回路は最初に、どの画素、したがってどの行をリフレッシュする必要があるかを判定して、変更された画素を有するこれらの行を更新するように選択するだけである。このような回路によって、特定の行を、画像のコンテンツしだいで変わるような非連続的な順序でアドレス指定することが可能である。この実施形態には、変更されたビデオデータだけがインタフェースを介して送る必要があるので、プロセッサ２１とディスプレイアレイ３０間でデータレートを減少させることが可能であるという長所がある。プロセッサ２１とアレイドライバ２２間で必要とされる効果的なデータレートを下げると、本システムの電力消費、雑音排除性及び電磁妨害雑音などの問題が改善される。
【００４８】
図４と図５に、図３の３×３式アレイ上にディスプレイフレームを作成する１つの考えられる起動プロトコルを示す。図４Ｂに、図４Ａのヒステリシス曲線を示す画素に対して用いられる列電圧レベルと行電圧レベルの考えられる集合を示す。図４Ａ／４Ｂの実施形態では、ある画素を起動すると、適切な列が−Ｖｂｉａｓに、適切な行が＋ΔＶに設定されるが、これはそれぞれ−５ボルトと＋５ボルトに対応している。その適切な列を＋Ｖｂｉａｓに、その適切な行を同じ＋ΔＶに設定して、画素に印加される電位差をゼロにすることによって、画素がその状態から開放される。行電圧がゼロボルトに保持されているこれらの行では、画素は、そのもとの状態がどのようなものであったとしても、また、列の電圧値が＋Ｖｂｉａｓであろうと−Ｖｂｉａｓであろうと安定である。同様に、ある画素を起動すると、適切な列が＋Ｖｂｉａｓに、適切な行が−ΔＶに設定されるが、これはそれぞれ５ボルトと−５ボルトに対応している。その適切な列を−Ｖｂｉａｓに、その適切な行を同じ−ΔＶに設定して、画素に印加される電位差をゼロにすることによって、画素がその状態から開放される。行電圧がゼロボルトに保持されているこれらの行では、画素は、そのもとの状態がどのようなものであったとしても、また、列の電圧値が＋Ｖｂｉａｓであろうと−Ｖｂｉａｓであろうと安定である。
【００４９】
図５Ｂは、図３Ａの３×３式アレイに印加された一連の行信号と列信号を示すタイミング図であり、この結果、ディスプレイは図５Ａに示すように配置されるが、この場合、起動された画素は非反射性である。図５Ａに示すフレームを書き込む前は、画素はどのような状態でもあり得るが、この例では、行は全て０ボルトであり、列は全て＋５ボルトである。このような印加電圧によって、全ての画素は既存の起動又は開放された状態で安定である。
【００５０】
図５Ａのフレームでは、画素（１，１）、（１，２）、（２，２）、（３，２）及び（３，３）が起動される。これを遂行するため、行１に対する「ライン時間」中に列１と２が−５ボルトに設定され、列３が＋５ボルトに設定される。これによっては、どの画素も状態が変化しないが、それは、画素は全て３から７ボルトという安定性の窓に留まっているからである。次に、０ボルトから最大で５ボルトまで上昇してゼロに戻るパルスで行１をストローブする。これで、画素（１、１）と（１，２）が起動され、画素（１，３）が開放される。アレイ中にある他の画素はどれも影響されない。行２を所望のように設定するため、列２を−５ボルトに、列１と３を＋５ボルトに設定する。次に、同じストローブを行２に印加すると、これで、画素（２，２）が起動され、画素（２，１）と（２，３）が開放される。また、アレイ中にある他の画素はどれも影響されない。行３は、同様に、列２及び列３を−５ボルト、列１を＋５ボルトに設定することにより、設定される。行３のストローブによって、行３の画素が図５Ａに示すように設定される。フレームを書き込むと、行の電位はゼロになり、列の電位は＋５ボルトか−５ボルトかに留まり得るが、ディスプレイは図５Ａの配置で安定している。行と列が数十又は数百あるアレイでも同じ手順を用いることが可能であることが理解される。また、行と列を起動させるために用いられるタイミング、シーケンス、電圧レベルは、上に概括した一般的な原理の範囲内で広範囲で変更され得ることが、また、上の例は単に例示目的であり、どの起動電圧方法を用いることも可能であることが理解される。
【００５１】
上記の原理に従って動作する干渉変調器の構造の詳細は広く可変である。たとえば、図６Ａから６Ｃに、移動式ミラー構造体の互いに異なった３つの実施形態を示す。図６Ａは、図２の実施形態の断面図であり、ここで、反射性材料１４の片が直交するサポート１８上に堆積されている。図６Ｂでは、反射性材料１４がサポート１８のテザー３２上の角にのみ取り付けられている。図６Ｃでは、反射性材料１４が変形可能層３４から吊るされている。本実施形態は、反射性材料１４の構造設計と材料とが光学的特性という点で最適化され、また、変形可能層３４に対して採用される構造設計及び材料が所望の機械的特性に対して最適化されるという点で恩典を有している。さまざまなタイプの干渉変調器の製造方法が、たとえば、米国特許公開公報第２００４／００５１９２９号を含むさまざまな公開文書に記載されている。一連の材料の堆積ステップ、パターニングステップ及びエッチングステップを含む広範囲にわたる公知の技法を用いて、上記の構造が製造される。
【００５２】
プロセスフローのある実施形態を図７に示すが、これは、クライアントデバイス７の制御プロセスのハイレベルフローチャートである。このフローチャートは、ネットワーク３に接続される、ラップトップコンピュータ４や、ＰＤＡ５や、携帯電話６などのクライアントデバイス７によって用いられる、ネットワーク３を介してサーバ２から受信したビデオデータを図形的に表示するプロセスを説明するものである。実施形態しだいで、図７の状態を除去したり、追加したり、再配置したりすることが可能である。
【００５３】
再度図７を参照すると、状態７４で開始して、クライアントデバイス７は、クライアントデバイス７がビデオの用意ができたことを示す信号をサーバ２に対してネットワーク３を介して送る。一実施形態では、ユーザは図７のプロセスを、携帯電話などの電子デバイスをオンすることによって開始する。状態７６まで行って、クライアントデバイス７はその制御プロセスを立ち上げる。制御プロセスを立ち上げる例を、図８を参照してさらに説明する。
【００５４】
プロセスフローのある実施形態を図８に示すが、これは制御プロセスを立ち上げて実行するクライアントデバイス７の制御プロセスのフローチャートを示すものである。このフローチャートは、図７を参照して説明した状態７６をさらに詳細に示すものである。実施形態しだいでは、図８の状態は除去したり、追加したり、再配置したりすることが可能である。
【００５５】
判定状態８４から開始して、クライアントデバイス７は、クライアントデバイス７での動作がクライアントデバイス７でのアプリケーションを開始する必要があるかどうか、又は、サーバ２がアプリケーションをクライアントデバイス７に対して実行目的で送信したかどうか、又は、サーバ２がクライアントデバイス７に対して、クライアントデバイス７に備わっているアプリケーションを実行する要求を送信したかどうかを判定する。アプリケーションを立ち上げる必要がない場合、クライアントデバイス７は判定状態８４に留まる。アプリケーションを開始したら、状態８６に続き、クライアントデバイス７は、クライアントデバイス７がビデオデータを受信して表示するプロセスを立ち上げる。このビデオデータはサーバ２からのストリームであったり、後でアクセスするためにクライアントデバイス７のメモリーにダウンロードされたりする。ビデオデータはビデオ、静止画像、テキスト情報又はピクチャ情報である。ビデオデータはまた、さまざまな圧縮符号化されていることがあり、インターレース走査であるかプログレッシブ走査されていたりし、また、変動するさまざまなリフレッシュレートを有している。ディスプレイアレイ３０は、任意の形状とサイズを持つ領域に分割されており、各領域は、その領域だけに固有のリフレッシュレートや圧縮符号化などの特徴を持つビデオデータを受信する。このような領域はビデオデータ特徴や形状、サイズを変更する。領域は開閉されたり再度開かれたりする。クライアントデバイス７は、ビデオデータと一緒に、制御データも受信することが可能である。制御データはサーバ２からクライアントデバイス７への、例えば、圧縮符号化、リフレッシュレート、インターレース走査かプログレッシブ走査ビデオデータであるかなどのビデオデータ特徴に関するコマンドを含むことがある。制御データは、ディスプレイアレイ３０の分割に対する制御命令や、ディスプレイアレイ３０のさまざまな領域に対するさまざまな命令を含む。
【００５６】
１例示の実施形態では、サーバ２は制御データとビデオデータとをＰＤＡに対して無線ネットワーク３を介して送って、ディスプレイアレイ３０の右上の角のところに連続更新クロックを、ディスプレイアレイ３０の左上の角のところにピクチャのスライドショーを、ディスプレイアレイ３０の下方領域に沿ってボールゲームの周期的更新スコアを、ディスプレイアレイ３０の全体にわたって連続的にスクロールするパン購入のための雲形状のバブルリマインダを生成する。写真のスライドショー用のビデオデータはダウンロードされてＰＤＡメモリーに備わっているが、インターレースフォーマットである。クロックとボールゲームのビデオデータストリームテキストはサーバ２からである。上記のリマインダは、グラフィック付きのテキストであり、プログレッシブ走査フォーマットである。ここで提示するのは、例示の実施形態だけであることが理解される。他の実施形態も可能であり、これらは状態８６の包括範囲内にあり本解説の範囲にある。
【００５７】
判定状態８８に行くと、クライアントデバイス７は、ディスプレイアレイ３０の領域の再配置コマンドや、ディスプレイアレイ３０の領域のリフレッシュレート変更コマンドや、クイットコマンドなどのコマンドがサーバ２から送られていないかどうか探索する。サーバ２からコマンドを受信すると、クライアントデバイス７は判定状態９０に進み、判定状態８８で受信したコマンドがクイットコマンドであるかどうか判定する。判定状態８８で受信したコマンドがクイットコマンドであると判定状態９０で判定されたら、クライアントデバイス７は状態９８に行って、アプリケーションの実行を停止して休止する。クライアントデバイス７はまた、ステータスや他の情報をサーバ２に通信したり及び／又はこのような類似の通信物をサーバ２から受信したりする。判定状態８８でサーバ２から受信したコマンドがクイットコマンドではないと判定状態９０で判定されたら、クライアントデバイス７は状態８６に戻る。状態８８でサーバ２からコマンドが受信されなかった場合、クライアントデバイス７は判定状態９２に進み、ここでクライアントデバイス７は、ディスプレイアレイ３０の領域更新停止コマンドやクイットコマンドなどのコマンドがユーザから送られていないか探索する。判定状態９２でユーザからのコマンドが受信されない場合、クライアントデバイス７は判定状態８８に戻る。判定状態９２でユーザからのコマンドが受信された場合、クライアントデバイス７は判定状態９４に進み、ここでクライアントデバイス７は判定状態９２で受信したコマンドがクイットコマンドであるかどうか判定する。判定状態９２でユーザから受信したコマンドがクイットコマンドでないと判定状態９４で判定されたら、クライアントデバイス７は判定状態９４から状態９６に進む。状態９６では、ディスプレイアレイ３０の領域更新停止コマンドなどの状態９２で受信したユーザコマンドをクライアントデバイス７はサーバ２に対して送り、その後で、判定状態８８に戻る。判定状態９２でユーザから受信したコマンドが判定状態９４でクイットコマンドであると判定されたら、クライアントデバイス７は状態９８に行って、アプリケーションの実行を停止する。クライアントデバイス７はまた、ステータスや他の情報をサーバ２に通信したり及び／又はこのような類似の通信物をサーバ２から受信したりする。
【００５８】
図９に、サーバ２がビデオデータをクライアントデバイス７に送る制御プロセスを示す。サーバ２は、制御情報とビデオデータとをクライアントデバイス７に対して表示目的で送る。実施形態しだいでは、図９の状態は除去したり、追加したり、再配置したりすることが可能である。
【００５９】
状態１２４から開始して、サーバ２は、実施形態（１）ではクライアントデバイス７からネットワーク３を介してデータ要求を待ち、実施形態（２）では、そうする代わりに、サーバ２は、クライアントデバイス７からデータ要求を待つことなくビデオデータを送る。この２つの実施形態は、サーバ２又はクライアントデバイス７には、サーバ２からクライアントデバイス７にビデオデータを送る要求を始動するシナリオが含まれる。
【００６０】
サーバ２は判定状態１２８に行って、クライアントデバイス７の準備が整ったことを示す応答（準備指示信号）がクライアントデバイス７から受信されたかどうか判定する。状態１２８で準備指示信号が受信されない場合、サーバ２は、準備指示信号が受信されるまで判定状態１２８に留まる。
【００６１】
いったん準備指示信号が受信されると、サーバ２は状態１２６に進み、そこでサーバ２は、制御データをクライアントデバイス７に送る。この制御データはサーバ２からのストリームであったり、後でアクセスするためにクライアントデバイス７のメモリーにダウンロードしたりする。制御データはディスプレイアレイ３０を任意の形状やサイズを持つ領域に分割し、また、特定の領域又は全ての領域のリフレッシュレートやインターレースフォーマットなどのビデオデータ特徴を明確にする。制御データによって、この領域は開閉されたり、再度開かれたりする。
【００６２】
状態１３０に行くと、サーバ２はビデオデータを送る。このビデオデータはサーバ２からのストリームであったり、後でアクセスするためにクライアントデバイス７のメモリーにダウンロードしたりする。このビデオデータは動画像、静止画像、テキスト情報又はピクチャ情報であったりする。ビデオデータはまた、さまざまな圧縮符号化されていることがあり、インターレース走査されていたりプログレッシブ走査されていたりし、また、変動するさまざまなリフレッシュレートを有している。各領域は、その領域だけに固有のリフレッシュレートや圧縮符号化などの特徴を持つビデオデータを受信する。
【００６３】
サーバ２は判定状態１３２に進み、そこで、サーバ２は、ディスプレイアレイ３０の領域更新停止したり、リフレッシュレートを増大させたり、クイットさせたりするコマンドなどのコマンドがユーザから来ていないかどうか探索する。判定状態１３２で、サーバ２がユーザからのコマンドを受信すると、サーバ２は状態１３４に進む。状態１３４で、サーバ２は、状態１３２でユーザから受信したコマンドを実行して、判定状態１３８に進む。判定状態１３２で、サーバ２がユーザから何もコマンドを受信しない場合、サーバ２は判定状態１３８に進む。
【００６４】
状態１３８で、サーバ２は、後で表示されるビデオデータを受信してストアしたり、データ転送レートを増加させたり、インターレースフォーマットになるべき次のビデオデータ集合を予測したりする動作などのクライアントデバイス７による動作が必要であるか判定する。判定状態１３８でサーバ２がクライアントによる動作が必要であると判定したら、サーバ２は状態１４０に進み、そこで、サーバ２はクライアント７にその動作を始めるようにコマンドを送り、その後でサーバ２は状態１３０に進む。判定状態１３８でサーバ２がクライアントによる動作は必要ないと判定したら、サーバ２は判定状態１４２に進む。
【００６５】
判定状態１４２に行ったら、サーバ２はデータ転送を終了すべきであるかどうか判定する。判定状態１４２でデータ転送を終了させるべきではないと判定したら、サーバ２は状態１３０に戻る。判定状態１４２でデータ転送を終了させるべきであると判定したら、サーバ２は状態１４４に進み、そこでサーバ２はデータ転送を終了して、クイットメッセージをクライアントに送る。サーバ２はまた、ステータスや他の情報をクライアントデバイス７に通信したり及び／又はこのような類似の通信物をクライアントデバイス７から受信したりする。
【００６６】
ほとんどのフラットパネルディスプレイがそうであるように、双安定ディスプレイは、その電力のほとんどをフレーム更新中に消費するので、双安定ディスプレイをどの程度頻繁に更新するかを制御して電力を節約することが可能であるのが望ましい。例えば、ビデオストリームの隣り合ったフレーム同士間でほとんど変化がなければ、ディスプレイアレイのリフレッシュ頻度を下げても画像品質がほとんどもしくはまったく失われない。例として、干渉変調器ディスプレイに表示される一般的なＰＣデスクトップ応用物の画像品質は、リフレッシュレートが減少しても影響されないが、それは、干渉変調器ディスプレイは、他のほとんどのディスプレイのリフレッシュレートを減少させるとその結果発生するフリッカの影響を受けないからである。したがって、ある応用物の動作中、ＰＣ表示システムは、干渉変調器などの双安定表示素子のリフレッシュレートを減少させても、そのディスプレイの出力に対する影響は最小に留まる。
【００６７】
図１０に、干渉変調器ディスプレイ２００の一実施形態の、観察者の視点から見た平面図を示すが、これは、本実施形態では、第１のフィールド２０２、第２のフィールド２０４及び第３のフィールド２０６に区分化されている。これらの実施形態では、第１、第２及び第３のフィールド２０２、２０４及び２０６などの干渉変調器ディスプレイ２００のさまざまなフィールドは、それぞれのフィールド２０２、２０４及び２０６に表示される画像の性質しだいでさまざまなフィールド２０２、２０４及び２０６に表示される更新画像に対して別個のそして互いに異なった仕方で取り扱われる。
【００６８】
例えば、一実施形態では、第１のフィールド２０２は、干渉変調器ディスプレイ２００を含むデバイスが提供することが可能なさまざまな動作特徴に対応する複数のアイコンを有するツールバーを表示することが可能である。さまざま実施形態の説明を考慮すれば、干渉変調器ディスプレイ２００を、これに限られないが、携帯電話、パーソナルディジタルアシスタンツ（ＰＤＡ）、テキストメッセージングデバイス、電卓、携帯式の測定デバイスもしくは医療用デバイス、ビデオプレーヤ、パソコンなどを含むさまざまな電子デバイスに組み込むことが可能であることが理解される。したがって、一実施形態では、第１のフィールド２０２は、使用中に、干渉変調器ディスプレイ２００に対する一定の構成と位置とを保持する複数のアイコンを有するツールバーに対応する画像を描写することが可能であるが、ただし、対応する機能が選択された際の第１のフィールド２０２における特定のアイコンの着色や強調の変化は多分例外である。したがって、干渉変調器ディスプレイ２００の第１のフィールド２０２に表示される画像の更新は、一般的には比較的頻繁ではなく、特定の応用分野ではまったく不必要である。
【００６９】
第２のフィールド２０４は、第１のフィールド２０２に描かれた画像とはかなり異なったアップグレードデマンドを有する画像を表示する干渉変調器ディスプレイ２００の領域に対応することが可能である。例えば、第２のフィールド２０４は、ビデオストリームに対応する約１５Ｈｚなどのはるかに高い更新レートを示す干渉変調器ディスプレイ２００に描かれている一連のビデオ画像に対応する。したがって、第１のフィールド２０２に描かれる画像の更新要求は、頻度の高くない非周期的なものであったりし、例えば、ユーザが例えば干渉変調器ディスプレイ２００を組み込むデバイスの対応する動作特徴を起動するためにあるアイコンを選択すると画像が一定であったり、比較的頻繁でなく非周期的に更新される場合には使用中には実質的に更新されなかったりする。しかしながら、第２のフィールド２０４での画像の更新要件は、第２のフィールド２０４に表示されるビデオデータの周期的フレーミングに応じて一般的に周期的な性質のものである。しかしながら、第２のフィールド２０４に表示されている画像は、第１のフィールド２０２中の画像の更新に対して非同期的に容易に更新することが可能である。さらに、一部の実施形態では、フィールドはオーバラップする、すなわち、一方のフィールドが他方のフィールドの上にあるものと指定され、下層のフィールドのオーバラップ部分をカバーし、これで、干渉変調器が２つ以上のフィールドに含まれるようにする。例えば、ディスプレイ２００を第１と第２のフィールドに区分化する場合、第１の複数の干渉変調器は第１のフィールドに対応し、第２の複数の干渉変調器は第２のフィールドに対応し、第１の複数の干渉変調器の内の１つ以上の干渉変調器が第２の複数の干渉変調器の内の干渉変調器でもありえたりする。このような実施形態では、双方のフィールドに含まれる干渉変調器は第１のリフレッシュサイクル中に第１の複数の干渉変調器でリフレッシュされ、第２のリフレッシュサイクル中に第２の複数の干渉変調器でリフレッシュされる。これらフィールドの１つ以上を、例えば、方形、円形、多角形などの任意の形状に区分化することが可能である。
【００７０】
第３のフィールド２０６に表示される画像は、第１のフィールド２０２や第２のフィールド２０４のそれとさえ異なった更新用件を有することがある。例えば、一実施形態では、第３のフィールド２０６に表示されるデータは、本デバイスのリーダー／ユーザが、第３のフィールド２０６の画像の更新頻度に対応する周期を示す周期でスクロールする、ｅメールやニュースのコンテンツなどのテキストを含むことが可能である。しかしながら、この第３のフィールド２０６は一般的には、比較的一定の画像では長い期間を費やすが、それは、ユーザは、無更新の期間をこのように示す表示情報を読むからである。したがって、干渉変調器ディスプレイ２００は、表示画像が静止している間は実質的に無更新であるが、画像が変化しているときには比較的頻繁に更新される期間などのかなり時間によって変動する更新特徴をサポートすることが可能である。また、第３のフィールド２０６に表示される画像の更新もまた、第１と第２のフィールド２０２と２０４のデータの更新とは非同期で実行することが可能であることが理解される。
【００７１】
ある実施形態では、干渉変調器ディスプレイ２００もまた、これまた電力消費を軽減することが可能なさまざまな更新レートに加えてさまざまな更新スキームを提供することが可能である。例えば、第１のフィールド２０２はプログレッシブ走査式の駆動方式と類似の方法で更新することが可能である。第２のフィールド２０４は第１のフィールド２０２に対して用いられるそれと類似した波形で駆動することが可能である；しかしながら、リフレッシュサイクル毎にすべての行に書き込む代わりに、１行ごとにインターレース方式で書き込むことが可能である。別の実施形態では、第３のフィールド２０６を画素毎に更新することが可能である、例えば、変化した画像中の画素だけを更新し、他の画素は更新せず、これによって、状態が変化する画素だけに更新動作を制限することが可能である。本実施形態は、連続するデータフレームのフレーム対フレーム相関度が比較的高い場合に採用されると有利となり得る。
【００７２】
図１１は、このようなシステムが、干渉変調器ディスプレイ２００が提供する動作特徴の利点を利用することが可能な一実施形態のハイレベルフローチャートである。図１１に示すプロセスには、図８で説明したプロセス中の状態８６が含まれることに注意されたい。この図示するプロセスでは、クライアントデバイス７はビデオデータコンテンツをサーバ２から受信し、干渉変調器ディスプレイ２００内にフィールドを規定し、これで、データの周期が対応するフィールド上に表示されるようにし、リフレッシュレートをデータもしくは他のなんらかの所定の判断基準に基づいて設定もしくは各フィールドと関連付け、ディスプレイ２００の対応するフィールド上にビデオデータを表示する。実施形態しだいでは、追加のステップを追加したり、他のステップを除去したり、状態の順序付けを再編成したりしてもよい。
【００７３】
プロセス３００は、サーバ２からデータをクライアントデバイス７が受信するイベントがトリガーされると開始される。このイベントのトリガー動作は、ユーザがサーバからの信号によって直接的に、又はクライアントデバイス７によって間接的に開始することが可能である。プロセス３００では、状態３０４で、クライアントデバイス７は、サーバ２に接続する。サーバ２に接続している間は、クライアントデバイス７とサーバ２との間で情報の交換があり得るが、これには、クライアントデバイス７の表示能力を含めクライアントデバイス７に関する情報を識別する動作が含まれることがある。クライアントデバイス７とサーバ２とが接続されたら、プロセス３００は状態３０６に行って、そこで、クライアントデバイス７は、パーティションとリフレッシュレートの情報を受信したかどうかチェックする。受信されていなければ、プロセス３００は状態３２２に行って、そこで時間遅延を得て、次に状態３０６にループバックする。
【００７４】
クライアントデバイス７がパーティションとリフレッシュレートの情報を受信したら、プロセス３００は状態３０８に行って、ディスプレイ２００をパーティションデータに基づいて区分化する。データを１つ以上のディスプレイフィールドに区分化する動作はクライアントデバイスのところで局所的に発生したり、また、遠く離れた、例えば、サーバ２のところで発生したりすることがあると理解される。サーバ２とクライアントデバイス７との間の通信は、クライアントデバイス７のところでサーバコマンドを受信したり、クライアントデバイスのところで（例えば、ユーザから）受信されたコマンドを送出したりすることも含めて、図８に示すように制御することが可能である。また、状態３０８の区分化は、時間変動的に動的に発生することが可能であり、例えば、ある期間中は、サーバ２とクライアントデバイス７との間でネットワーク３を介して通信されたデータが、例えば、１つのディスプレイフィールドに区分化することなく表示することが可能であり、また、さらに別の期間中は、任意の時点で送信されているデータの性質しだいで互いに異なった複数のディスプレイフィールドに区分化されたりすることが理解される。
【００７５】
プロセス３００は続いて状態３１０に行って、各パーティションに対してリフレッシュレートを設定する。プロセス３００は状態３１２に行って、そこで、プロセス３００自体がビデオデータを受信する準備がなったことを示す信号をサーバ２に送る。サーバ２は、その準備完了信号を受信するとそれに応答して、そのビデオデータをクライアントデバイス７に送る。プロセス３００は状態３１４に行き、そこで、クライアントデバイス７はビデオデータをサーバ２から受信する。受信したビデオデータの取り扱いを、状態３１４中の開始点「Ｃ」を参照して図１２に示す。
【００７６】
プロセス３００は状態３１６に行き、クライアントデバイス７は、自身がサーバ２から開放されたことを示す信号を受信したかどうかチェックする。開放信号を受信されていれば、プロセス３００は状態３１８に行き、そこで、サーバ２に接続されたそのセッションを終了して、デフォルトパラメータを適宜送る。開放信号が受信されていない場合、プロセス３００は状態３２０に行き、そこで、状態３２０で時間遅延を経て、状態３０６に戻る。
【００７７】
図１２は、ディスプレイを１つ以上の視野に区分化して、この１つ以上の視野の各々を対応する適切な更新レートで更新するある実施形態のハイレベルフローチャートである。図１２は、図１１の状態３１４を基準として、一実施形態で発生するある種の状態を示すものである。実施形態しだいで、追加の状態を追加したり、他の状態を除去したり、状態の順序付けを再編成したりしてもよい。
【００７８】
プロセス４００は、クライアントデバイス７がビデオデータを受信する状態４０２から開始される。プロセス４００は状態４０４に行って、ディスプレイの２つ以上の区分化されたフィールドに表示されるビデオデータを識別する。状態４０４での区分化に続いて、ビデオコンテンツが状態４０６でクライアントデバイス７の干渉変調器ディスプレイ２００上に表示され、ここで区分化されたビデオデータがディスプレイ２００の対応する区分化フィールド上に示され、これで、これら２つ以上のフィールドの各々を、関連するリフレッシュレートで更新することが可能である。このリフレッシュレートは、サーバ２から受信した情報を用いて設定することが可能であり、また、ビオデデータのコンテンツに基づいて（例えば、表示されている画像の変化が早いか遅いかに基づいて）又はユーザの入力に基づいて動的に設定したり変更したりすることが可能である。一実施形態では、サーバ２は、各フィールドのロケーション、サイズ、幾何学形状及びリフレッシュレートを規定する。さらに、サーバ２は、クライアントデバイス７に送信されて特定のフィールドで表示されるべきビデオデータを識別する。
【００７９】
これらの実施形態は、干渉変調器ディスプレイ２００に表示される画像の高品質を維持しながらも、利用可能なリソースを効果的に利用するものである。たとえば、１つの実施形態では、サーバ２はテキストファイルをクライアントデバイス７に対してネットワーク３を介して提供する。クライアントデバイス７は、テキストファイルを受信すると、テキストデータをディスプレイ２００の１つ以上のフィールド２０２、２０４及び２０６に区分化する。しかしながら、いったんデータを干渉変調器デバイス２００に表示すると、１つ以上のパーティション２０２、２０４、２０６に表示されるビデオデータが変更されるまでそれ以上更新は必要ない。テキストファイルが比較的簡単なｅメールメッセージを含んでいる場合、このｅメールメッセージ全体を干渉変調器ディスプレイ２００の１つ以上のフィールドに描くことが可能であり、例えば、ユーザがより広い範囲のｅメールメッセージをスクロールしたり、クライアントデバイス７の動作モードが切り替わったり、表示されている情報に変化があった事を示す他の状況が発生したりして表示画像が変化するまでは、サーバ２もクライアントデバイス７も、画像をリフレッシュする必要はない。これによって、クライアントデバイス７のところでの利用可能バッテリと処理能力は、干渉変調器ディスプレイ２００に表示されている静止画像を維持するだけではあまり消費されないという重要な利点が与えられる。
【００８０】
同様に、サーバ２の利用可能な処理と送信帯域幅容量は、干渉変調器ディスプレイ２００が提供する特徴を活用することによって、より効率的に利用することが可能である。例えば、ある実施形態では、サーバ２は、サーバ２自体が、干渉変調器ディスプレイ２００を有するクライアントデバイス７とネットワーク３を介しての通信状態を確立している。したがって、状態４０４での表示データの区分化は、ある応用分野では「ヘッドエンド」としても知られているサーバ２のところで発生し得る。したがって、サーバ２は、多数のクライアントデバイス７の各々の必要性に合うように動的に調整することが可能な区分方法でクライアントデバイス７にデータを提供することが可能である。例えば、サーバ２によって提供されたデータは、比較的低く、また、ある時間期間では実質的にゼロでさえある第１の更新レートで１つのクライアントデバイス７に提供し、これで、サーバ２の帯域幅と処理能力とを節約して、他のクライアントデバイスに提供されているデータのさまざまな要件に対応する第２のより高い更新レートで他のクライアントデバイスに対して他のリンクを介してデータを提供することが可能である。
【００８１】
さまざまな実施形態が、干渉変調器ディスプレイ２００の固有の動作特徴を提供して、ディスプレイを各々がそれ自身の所定のリフレッシュレートを有する１つ以上のフィールド２０２、２０４、２０６に区分化する能力を提供する。このようなリフレッシュレートの内の１つ以上が実質的にゼロ、例えば、少なくとも限られた時間では更新しないようにすることが可能である。さらに別の実施形態は、１つ以上のクライアントデバイス７と通信しているサーバ２を含む動的データ表示システムを備えているが、ここで、クライアントデバイス７の特徴はサーバ２に通信され、また、クライアントデバイス７の各々に提供されたデータは、クライアントデバイスの各々の特徴に従ってさまざまにフォーマットされる。例えば、リフレッシュレートは表示されているデータのタイプによって異なる。一部の実施形態では、ビデオストリームのフレームが、プログラム可能な「フレームスキップカウント」に基づいてスキップされる。例えば、一部の実施形態では、アレイドライバ２２は、ディスプレイアレイ３０で利用可能な多くのリフレッシュをスキップするようにプログラムされる。１つの実施形態では、アレイドライバ２２中のレジスタは、フレームスキップカウントを表す０、１、２、３、４などの値をストアする。次に、アレイドライバ２２はこのレジスタにアクセスして、ディスプレイアレイ３０をリフレッシュする頻度を決定する。たとえば、０、１、２、３、４、５という値は、ドライバがすべてのフレーム、１つおきのフレーム、３つおきのフレーム、４つおきのフレーム、５つおきのフレーム、６つおきのフレームをそれぞれ更新することを意味する。
【００８２】
ディスプレイ５００の一実施形態を図１３に示す。図１３のディスプレイ５００はさまざまな形状とサイズで製造される。一実施形態では、ディスプレイ５００は一般に矩形であるが、他の実施形態では、ディスプレイは方形、六角形、八角形、円形、三角形又は他の対称的もしくは非対称的な形状である。ディスプレイ５００はさまざまなサイズで製造される。一実施形態では、ディスプレイ５００の一方の側は約０．５インチ、約１インチ、約１０インチ、約１００インチ、又は１００インチを超えて長い。一実施形態では、ディスプレイ５００の一方の側の長さは約０．５インチと約３．５インチの間の値の長さである。
【００８３】
ディスプレイ５００は、中で表示されているコンテンツ次第でパーティション５０２と５０４に区分化される。ディスプレイを区分化することによって、異なった表示パーティションが異なったコンテンツを表示でき、また、異なったレートでリフレッシュ又は更新することが可能である。たとえば、更新やリフレッシュを必要とするようなディスプレイ５００のパーティションだけが更新したりリフレッシュしたりされる。図１３を参照すると、第１のパーティション５０２が第２のパーティション５０４ほどには更新もリフレッシュも必要としない画像を表示している。例えば、第１のパーティション５０２は静止画像を（図示するように）表示し、第２のパーティション５０４は株式市場のティッカーテープ(ticker-tape)を（図示するように）、動作ビデオ又はクロックを表示している。
【００８４】
一実施形態では、ディスプレイ５００は２つのパーティションを含んでおり、他の実施形態では、ディスプレイ５００は３つ以上のパーティションを含んでいる。例えば、ディスプレイ５００は３、４、８、３２又は２５６のパーティションを含んでいる。一実施形態では、ディスプレイ５００は比較的低いリフレッシュレートパーティションと比較的高いリフレッシュレートパーティションとを含む。ディスプレイ５００のパーティションの相対的なサイズと位置は、ディスプレイ５００に示されるコンテンツしだいで固定されたり可変であったりする。一実施形態では、第２のパーティション５０４に対する第１のパーティション５０２の表面面積比率は約９０：１０、約７５：２５、約５０：５０、約２５：７５又は約１０：９０である。
【００８５】
一実施形態では、制御コマンド又はメッセージはサーバ２（図示せず）からクライアントデバイス７によって受信され、これらの制御コマンド又はメッセージによって、ディスプレイ５００がどのようにディスプレイ５００自体を区分化するか、また、パーティションのコンテンツが更新やリフレッシュされるレートが決まる。
【００８６】
ディスプレイ５００の区分化を確立するためのサーバが提供するメッセージ又はコマンドの１例を図１４に示す。サーバが提供したメッセージ６００は、１つ以上の識別セグメント６０２、サーバ制御要求６０４、パーティションコマンド６０６、第１のパーティションリフレッシュレート値６０８、第２のパーティションリフレッシュレート値６１０、フレームスキップカウント情報６１２、フォーマットタイプ６１４及びノード情報６１６を含むことが可能である。
【００８７】
一実施形態では、識別セグメント６０２は、クライアントデバイス（図示せず）に送られるコンテンツのタイプを識別する。例えば、コンテンツが電話のコールであれば、呼者の電話番号が提供される。コンテンツがＷｅｂサイトからのものであれば、このＷｅｂサイトのアイデンティティの証印が識別セグメント６０２を介して提供される。サーバ制御要求６０４は、表示とリフレッシュ及び／又は更新レートに対するサーバ制御権を与えるようにとのサーバからクライアントに対する要求である。パーティションコマンド６０６は、そのディスプレイ（図示せず）をどのように区分化すべきであるかについてのクライアントに対する命令を含む。パーティションコマンド６０６は、ディスプレイを区分化するディスプレイの１つ以上の行又は列を含む。第１のパーティションリフレッシュレート値６０８はディスプレイの第１のパーティションに表示されるコンテンツを更新したりリフレッシュしたりするレートを示し、第２のパーティションリフレッシュレート値６１０はディスプレイの第２のパーティションに表示されるコンテンツを更新したりリフレッシュしたりするレートを示す。一部の実施形態では、サーバメッセージ６００もまた、フレームスキップカウント情報６１２、ビデオデータフォーマットタイプ６１４及び／又はノード情報６１６などの他の情報を含む。フレームスキップカウント情報６１２を用いて、上述したように、ビデオデータのフレームを表示すべきであるかどうか判定することが可能である。ビデオデータフォーマットタイプ６１４は、サーバ２がこれを用いて、クライアントデバイス７に対して、どのタイプのデータがサーバ２から送られているかを示すことが可能である。メッセージ中のノード情報６１６を用いて、サーバ２から送られているデータに関連するノード又はネットワークデバイスの情報をクライアントデバイス７に示すことが可能である。
【００８８】
注意すべきであり、また、以下の実施形態で検討されていることであるが、サーバメッセージ中に指定されている又はクライアントデバイス７内のローカル判定基準に基づいて決定されているパーティションの更新とリフレッシュのレートは、特定の設定数値に限られない。更新とリフレッシュの「レート」は、データセット実現判定基準、トリガー事象、割り込み、ユーザ対話及び他のスティミュラスに基づき得る。この状況のため、リフレッシュと更新の事象が変動し、状況次第であり、また非同期であるということになりかねない。
【００８９】
図１５Ａと１５Ｂは、ディスプレイデバイス２０４０の実施形態を示すシステムブロック図である。ディスプレイデバイス２０４０は、例えば、携帯電話又はモバイル電話でありえる。しかしながら、ディスプレイデバイス２０４０の同じコンポーネント又はそれを少し変更したものもまた、テレビや携帯式メディアプレーヤなどのさまざまなタイプのディスプレイデバイスの例証である。
【００９０】
ディスプレイデバイス２０４０は、ハウジング２０４１と、ディスプレイ２０３０と、アンテナ２０４３と、スピーカー２０４５と、入力デバイス２０４８と、マイクロフォン２０４６を含む。ハウジング２０４１は一般的に、射出成形や真空成形を含む当業者には公知であるようなさまざまな製造プロセスの内のどれかによって形成される。加えて、ハウジング２０４１は、これに限られないが、プラスチック、金属、ガラス、ゴム及びセラミック又はこれらの組み合わせを含むさまざまな材料の内のどれかから作られる。一実施形態では、ハウジング２０４１は、色の異なった又はロゴや、ピクチャや、記号が異なった他の可動部分と互換性のある取り外し可能部分（図示せず）を含む。
【００９１】
例示のディスプレイデバイス２０４０のディスプレイ２０３０は、ここに記載するように、双安定ディスプレイを含むさまざまなディスプレイの内のいずれかである。他の実施形態では、ディスプレイ２０３０は、当業者には公知である上述したプラズマ、ＥＬ、ＯＬＥＤ、ＳＴＮＬＣＤもしくはＴＦＴＬＣＤ又はＣＲＴや他のブラウン管デバイスなどの非フラットパネルディスプレイである。しかしながら、本発明を説明する目的上、ディスプレイ２０３０は、ここに記載するように干渉変調器ディスプレイを含む。
【００９２】
例示のディスプレイデバイス２０４０の一実施形態のコンポーネントを図１５Ｂに模式的に示す。図示の例示ディスプレイデバイス２０４０は、ハウジング２０４１を含んでおり、さらに少なくとも部分的に密封される追加のコンポーネントを含むことがある。例えば、一実施形態では、例示ディスプレイデバイス２０４０は、トランシーバ２０４７にカップリングされたアンテナ２０４３を含むネットワークインタフェース２０２７を含む。トランシーバ２０４７は、調整用ハードウエア２０５２に接続されているプロセッサ２０２１に接続されている。この調整用ハードウエア２０５２は信号（例えば、フィルタ信号）を調整するように構成されている。調整用ハードウエア２０５２はスピーカ２０４５とマイクロフォン２０４６に接続される。プロセッサ２０２１はまた、入力デバイス２０４８とドライバコントローラ２０２９に接続されている。ドライバコントローラ２０２９はフレームバッファ２０２８とアレイドライバ２０２２に接続されているが、後者はディスプレイアレイ２０３０にカップリングされている。電源２０５０は、特定の例示ディスプレイデバイス２０４０の設計上必要とされる限り、全てのコンポーネントに電力を提供する。
【００９３】
ネットワークインタフェース２０２７はアンテナ２０４３とトランシーバ２０４７を含み、これで、例示ディスプレイデバイス２０４０がネットワークを介して１つ以上のデバイスと通信が可能となるようにしている。一実施形態では、ネットワークインタフェース２０２７はまた、プロセッサ２０２１の要求を軽減する処理機能を有する。アンテナ２０４３は、信号を送受信するものであれば当業者に周知などのアンテナでもよい。一実施形態では、このアンテナは、ＩＥＥＥ８０２．１１（ａ）、（ｂ）又は（ｇ）を含むＩＥＥＥ８０２．１１基準にしたがってＲＦ信号を送受信する。別の実施形態では、このアンテナはブルートウース（ＢＬＵＥＴＯＯＴＨ）基準にしたがってＲＦ信号を送受信する。携帯電話の場合、このアンテナは、無線携帯電話ネットワーク内で通信するために用いられるＣＤＭＡ、ＧＳＭ、ＡＭＰＳ又は他の周知の信号を受信するように設計されている。トランシーバ２０４７は、アンテナ２０４３から受信した信号を前処理し、これで、この信号がプロセッサ２０２１によって受信され、さらに処理されるようにする。トランシーバ２０４７はまた、プロセッサ２０２１から受信した信号を処理し、これで、この信号がアンテナ２０４３を介して例示ディスプレイデバイス２０４０から送信されるようにする。
【００９４】
代替の実施形態では、トランシーバ２０４７の代わりに受信機を用いてもよい。さらに別の代替実施形態では、ネットワークインタフェース２０２７の変わりに、プロセッサ２０２１に送られる画像データをストアしたり生成したりすることが可能な画像ソースを用いてもよい。例えば、画像ソースは、ディジタルビデオディスク（ＤＶＤ）や、画像データを含むハードディスクドライブや、画像データを生成するソフトウエアモジュールであってもよい。
【００９５】
プロセッサ２０２１は一般的に、例示のディスプレイデバイス２０４０の全体的な動作を制御する。プロセッサ２０２１は、圧縮された画像データなどのデータをネットワークインタフェース２０２７又は画像ソースから受信して、このデータを処理して生画像データにしたり、生画像データに容易に処理されるフォーマットにしたりする。次に、プロセッサ２０２１は処理されたデータをドライバコントローラ２０２９又はフレームバッファ２０２８に記憶されるように送る。生データとは一般的には、画像内の各ロケーションにおける画像特徴を識別する情報のことである。例えば、このような画像特徴には、色、彩度及びグレースケールレベルがある。
【００９６】
一実施形態では、プロセッサ２０２１は、例示ディスプレイデバイス２０４０の動作を制御するために、マイクロコントローラ、ＣＰＵ又はロジックユニットを含む。調整用ハードウエア２０５２は一般的に、信号をスピーカ２０４５に送信するためと、マイクロフォン２０４６から信号を受信するための増幅器とフィルタとを含む。調整用ハードウエア２０５２は、例示ディスプレイデバイス２０４０内のディスクリートコンポーネントであったり、プロセッサ２０２１又は他のコンポーネント内に組み込まれたりする。
【００９７】
ドライバコントローラ２０２９は、プロセッサ２０２１が生成した生画像データをプロセッサ２０２１から直接に又はフレームバッファ２０２８から取って、その生画像データをアレイドライバ２０２２に対する高速送信用に再フォーマットする。具体的には、ドライバコントローラ２０２９は、生画像データをラスター状フォーマットを有するデータフローに再フォーマットし、これがディスプレイアレイ２０３０全体にわたる走査に適した時間順序を有するようにする。次に、ドライバコントローラ２０２９は、フォーマットされた情報をアレイドライバ２０２２に送る。ＬＣＤコントローラなどのドライバコントローラ２０２９は、しばしば、スタンドアローン集積回路（ＩＣ）としてシステムプロセッサ２０２１と関連付けられるが、このようなコントローラは多くの方法で実現される。それらは、プロセッサ２０２１中にハードウエアとして埋め込まれたり、プロセッサ２０２１中にソフトウエアとして埋め込まれたり、アレイドライバ２０２２と一緒にハードウエアに完全に集積される。
【００９８】
一般的に、アレイドライバ２０２２はフォーマットされた情報をドライバコントローラ２０２９から受信して、ビデオデータを波形の並列集合に再フォーマットし、この集合は、ディスプレイのｘ−ｙ画素マトリックスから来る毎秒数回から数百回、時として数千回も印加される。
【００９９】
一実施形態では、ドライバコントローラ２０２９、アレイドライバ２０２２及びディスプレイアレイ２０３０は、ここに記載するどのタイプのディスプレイにも適している。例えば、一実施形態では、ドライバコントローラ２０２９は従来型のディスプレイコントローラ又は双安定ディスプレイコントローラ（例えば、干渉変調器コントローラ）である。別の実施形態では、アレイドライバ２０２２は従来型のドライバ又は双安定ディスプレイドライバ（例えば、干渉変調器ディスプレイ）である。一実施形態では、ドライバコントローラ２０２９はアレイドライバ２０２２と統合される。このような実施形態は、携帯電話や、腕時計や、他の小面積ディスプレイなどの高度に集積されたシステムでは共通である。さらに別の実施形態では、ディスプレイアレイ２０３０は、一般的なディスプレイアレイ又は双安定ディスプレイアレイ（例えば、干渉変調器のアレイを含むディスプレイ）である。
【０１００】
入力デバイス２０４８によって、ユーザは、例示のディスプレイデバイス２０４０の動作を制御することが可能となる。一実施形態では、入力デバイス２０４８は、ＱＷＥＲＴＹキーボードや電話キーパッドなどのキーパッド、ボタン、スイッチ、タッチセンシティブ画面、及び感圧もしくは感熱膜を含む。一実施形態では、マイクロフォン２０４６は例示ディスプレイデバイス２０４０の入力デバイスである。マイクロフォン２０４６を用いてデータをデバイスに入力すると、音声コマンドがユーザによって与えられて、例示ディスプレイデバイス２０４０の動作を制御するようにする。
【０１０１】
電源２０５０は、技術上公知のさまざまなエネルギ蓄積デバイスの内のいずれかを含むことが可能である。例えば、一実施形態では、電源２０５０はニッケル・カドミウムバッテリやリチウム・イオンバッテリなどの充電式バッテリである。別の実施形態では、電源２０５０は、プラスチック太陽電池や、太陽電池塗料を含む再生可能なエネルギ源、キャパシタ又は太陽電池である。別の実施形態では、電源２０５０はコンセントから電力を受け取るように構成されている。
【０１０２】
一部の実施例では、上述したように、制御のプログラミング可能性は、電子ディスプレイシステム中のいくつかの場所に置くことが可能なディスプレイコントローラ中に備わっている。ある場合では、制御プログラミング可能性は、アレイドライバ２０２２中に備わっている。当業者は、上記の最適化はハードウエアコンポーネント及び／又はソフトウエアコンポーネント並びにさまざまな構成がいくつあっても実施されることが認識されるであろう。
【０１０３】
上に詳細に述べた記述によってさまざまな実施形態に応用される新規な特徴を示し、説明し、指摘したが、本発明の精神から逸脱することなく、解説したデバイスやプロセスの形態や詳細を当業者によってさまざまに省略したり、置換したり、変更したりされることが理解される。認識されるように、本発明が組み込まれる形態はここに記載する特徴や恩典のすべてを提供しているわけではなく、それは一部の特徴がそれとは別個に用いたり実施されたりするからである。
【図面の簡単な説明】
【０１０４】
【図１】一実施形態によるネットワーク化されたシステムを示す図である。
【図２】可動反射層を成す第１の干渉変調器が開放位置にあり、可動反射層を成す第２の干渉変調器が起動位置にある干渉変調器ディスプレイアレイの一実施形態の一部分を示す等尺図である。
【図３Ａ】３×３式の干渉変調器ディスプレイアレイを組み込んだ電子デバイスの一実施形態を示すシステムブロック図である。
【図３Ｂ】図１におけるサーバベースの無線ネットワークシステムのクライアントの一実施形態を示す図である。
【図３Ｃ】図３Ｂにおけるクライアントの例示の構成のブロック図である。
【図４Ａ】図２における干渉変調器の例示の一実施形態の場合の可動ミラー位置対印加電圧の図である。
【図４Ｂ】干渉変調器ディスプレイアレイを駆動するために用いられる行電圧と列電圧の集合を示す図である。
【図５Ａ】図３Ａの３×３式干渉変調器ディスプレイアレイにデータのフレームを書き込むために用いられる行信号と列信号の例示の１タイミング図である。
【図５Ｂ】図３Ａの３×３式干渉変調器ディスプレイアレイにデータのフレームを書き込むために用いられる行信号と列信号の例示の１タイミング図である。
【図６Ａ】図２の干渉変調器の断面図である。
【図６Ｂ】干渉変調器の代替実施形態の断面図である。
【図６Ｃ】干渉変調器の別の代替実施形態の断面図である。
【図７】クライアントの制御プロセスのハイレベルフローチャートである。
【図８】受信／表示プロセスを立ち上げて実行するクライアント制御プロセスのフローチャートである。
【図９】ビデオデータをクライアントに送るサーバ制御プロセスのフローチャートである。
【図１０】複数のビューフィールドに区分化することが可能な干渉変調器ディスプレイの一実施形態の観察者の視点から見た平面図である。
【図１１】ディスプレイを区分化して、各々のパーティションに対してリフレッシュレートを設定する制御プロセスを示すフローチャートである。
【図１２】ディスプレイを１つ以上のビューフィールドに区分化して、この１つ以上の視野の各々を対応する適切な更新レートで更新する実施形態のハイレベルフローチャートである。
【図１３】クライアントの区分されたディスプレイの例示の表示である。
【図１４】サーバによって提供されたメッセージの１例である。
【図１５Ａ】複数の干渉変調器を含む画像表示デバイスのある実施形態を示すシステムブロック図である。
【図１５Ｂ】複数の干渉変調器を含む画像表示デバイスのある実施形態を示すシステムブロック図である。
【符号の説明】
【０１０５】
２…サーバ、３…ネットワーク、４…コンピュータ、５…ＰＤＡ（携帯情報端末）、６…携帯電話、７…クライアントサーバ、１２ａ，１２ｂ…干渉変調器、１４ａ，１４ｂ…反射性の層、１６ａ，１６ｂ…部分的反射性層、１８…サポート、１９…エアーギャップ、２０…基板、２１，２０２１…プロセッサ、２２，２０２２…ドライバ、２４…行ドライバ回路、２６…列ドライバ回路、２７，２０２７…ネットワークインターフェイス、２８，２０２８…フレームバッファ、２９，２０２９…ドライバコントローラ、３０，２０３０…ディスプレイアレイ、３１，３３…データリンク、３４…変形可能層、３６…並列バス、４０…クライアント、４２，２０３０…ディスプレイ、４３，２０４３…アンテナ、４４，２０４５…スピーカー、４６，２０４６…マイクロフォン、４７，２０４７…トランシーバ、４８，２０４８…入力デバイス、５０，２０５０…電源、２０４０…ディスプレイデバイス、２０４１…ハウジング
【図１】
2006091853.tif 000003
【図２】
2006091853.tif 000004
【図３Ａ】
2006091853.tif 000005
【図３Ｂ】
2006091853.tif 000006
【図３Ｃ】
2006091853.tif 000007
【図４Ａ】
2006091853.tif 000008
【図４Ｂ】
2006091853.tif 000009
【図５Ａ】
2006091853.tif 000010
【図５Ｂ】
2006091853.tif 000011
【図６Ａ】
2006091853.tif 000012
【図６Ｂ】
2006091853.tif 000013
【図６Ｃ】
2006091853.tif 000014
【図７】
2006091853.tif 000015
【図８】
2006091853.tif 000016
【図９】
2006091853.tif 000017
【図１０】
2006091853.tif 000018
【図１１】
2006091853.tif 000019
【図１２】
2006091853.tif 000020
【図１３】
2006091853.tif 000021
【図１４】
2006091853.tif 000022
【図１５Ａ】
2006091853.tif 000023
【図１５Ｂ】
2006091853.tif 000024
【手続補正書】
【提出日】平成17年11月14日(2005.11.14)
【手続補正１】
【補正対象書類名】特許請求の範囲
【補正対象項目名】請求項４９
【補正方法】変更
【補正の内容】
【請求項４９】
前記フィールドの少なくとも１つは、前記コンテンツサーバによって個別にアドレス指定可能である、請求項４８に記載のデータ表示システム。
【手続補正２】
【補正対象書類名】特許請求の範囲
【補正対象項目名】請求項５０
【補正方法】変更
【補正の内容】
【請求項５０】
前記コンテンツサーバは、プロセッサとソフトウエアモジュールとを含み、前記ソフトウエアモジュールが受信データと関連している、請求項４８に記載のデータ表示システム。
【手続補正３】
【補正対象書類名】特許請求の範囲
【補正対象項目名】請求項５１
【補正方法】変更
【補正の内容】
【請求項５１】
前記クライアントデバイスは、前記ディスプレイの特徴を前記コンテンツサーバに通信するように構成されている、請求項４８に記載のデータ表示システム。
【手続補正４】
【補正対象書類名】特許請求の範囲
【補正対象項目名】請求項５２
【補正方法】変更
【補正の内容】
【請求項５２】
前記１つ以上のフィールドは第１と第２のフィールドを含み、前記双安定ディスプレイは第１の干渉変調器集合と第２の干渉変調器集合を含み、前記第１の干渉変調器集合は前記第１のフィールドと関連しており、前記第２の干渉変調器集合は前記第２のフィールドと関連している、請求項４８に記載のデータ表示システム。
【手続補正５】
【補正対象書類名】特許請求の範囲
【補正対象項目名】請求項５３
【補正方法】変更
【補正の内容】
【請求項５３】
前記第１の干渉変調器集合の内の少なくとも１つの干渉変調器が、前記第１の干渉変調器集合と第２の干渉変調器集合に割り当てられる、請求項５２に記載のデータ表示システム。
【外国語明細書】
2006091853000001.pdf